(57)【要約】  ランプ１は、発光ユニットと回路モジュール９６とアダプタ３０とを備える。発光ユニットは、アダプタ３０に取着されるとアダプタ側出力端子３５ｂと接触し、ＬＥＤ１２ｂに供給する電力を受電する電極パッド（発光ユニット側受電端子）１１ａを有する。回路モジュール９６は、発光ユニットに電力を供給する電源ユニット４０と、電源ユニット４０を収納するケース５０と、電源ユニット４０と電気的に接続された出力端子５３とを有する。アダプタ３０は、アダプタ本体部３０ａと、アダプタ本体部３０ａに設けられ且つ回路モジュール９６から供給される電力を受電するアダプタ側受電端子３５ａと、アダプタ本体部３０ａに設けられ且つアダプタ側受電端子３５ａと電気的に接続されたアダプタ側出力端子３５ｂとを有する。
2013051191.tif 000002
【特許請求の範囲】
【請求項１】
半導体発光素子を有する発光ユニットと、前記発光ユニットに電力を供給する回路モジュールと、前記発光ユニットおよび前記回路モジュールの間に介在し且つ前記発光ユニットおよび前記回路モジュールとを機械的に接続するアダプタとを備えるランプであって、
前記発光ユニットは、
前記半導体発光素子に供給する電力を受電する発光ユニット側受電端子を有し、
前記回路モジュールは、
前記発光ユニットに電力を供給する電源ユニットと、
前記電源ユニットを収納するケースと、
前記電源ユニットと電気的に接続された回路モジュール側出力端子とを有し、
前記アダプタは、
アダプタ本体部と、
前記アダプタ本体部に設けられ且つ前記回路モジュールから供給される電力を受電するアダプタ側受電端子と、
前記アダプタ本体部に設けられ且つ前記アダプタ側受電端子と電気的に接続されたアダプタ側出力端子とを有し、
前記発光ユニットと前記回路モジュールとが前記アダプタにより機械的に接続された状態において、前記発光ユニット側受電端子と前記アダプタ側出力端子とが接触するとともに、前記回路モジュール側出力端子と前記アダプタ側受電端子とが接触し、前記発光ユニットと前記回路モジュールとが電気的に接続される
ことを特徴とするランプ。
【請求項２】
前記ケースは、前記アダプタが取着される部位に設けられたアダプタ取着部を有し、
前記アダプタ本体部は、前記回路モジュールが取着される部位に設けられた回路被取着部を有し、
前記アダプタ取着部と前記回路被取着部とが係合することにより、前記アダプタに前記回路モジュールが取着される
ことを特徴とする請求項１記載のランプ。
【請求項３】
前記回路モジュールは、更に、口金を有し、
前記ケースは、一端が開口した有底円筒状の主部と、当該主部の前記開口から前記主部の筒軸方向に延出し前記口金が外嵌される口金取付部とを有し、
前記回路モジュール側出力端子は、前記主部の底壁に固定されている
ことを特徴とする請求項１または請求項２記載のランプ。
【請求項４】
前記アダプタ本体部は、有底筒状に形成されたベース部と、前記ベース部から離間して配置された天板部と、前記ベース部と前記天板部とを接続する支柱とを有し、
前記アダプタ取着部は、板状の頭部と当該頭部の厚み方向における片面側から突出し先端部が前記ケースに固定されている軸部とを有するピンからなり、前記回路モジュール側出力端子としても機能するものであり、
前記回路被取着部は、前記ベース部に設けられたベース部スリットからなり、
前記アダプタ側受電端子は、前記アダプタ本体部に固定され且つ長手方向における一端部が前記ベース部の前記ベース部スリットに近接して配置されるとともに、長手方向における他端部が前記天板部における前記ベース部側とは反対側に配置された少なくとも１つの細長の導電板の前記一端部からなり、
前記アダプタ側出力端子は、前記導電板の前記他端部からなる
ことを特徴とする請求項２記載のランプ。
【請求項５】
前記回路モジュールは、
口金と、
導電性材料からなり且つ弾性変形可能であるとともに、前記口金から前記発光ユニットへの電力供給路における第１部位を構成する導電部材と、
前記発光ユニットへの電力供給路における前記第１部位とは異なる第２部位を構成する配線パターンが形成された基材とを更に備え、
前記ケースは、前記口金が取り付けられる口金取付部を有し前記基材を内部に収納し、
前記導電部材は、前記口金および前記基材における前記配線パターンが形成された部位いずれか一方に固定され且つ電気的に接続され、
前記口金が前記口金取付部に取り付けられた状態で、前記導電部材は、弾性変形により生じた復元力により前記口金および前記基材における前記配線パターンが形成された部位のうちの他方を押圧し且つ電気的に接続されている
ことを特徴とする請求項１記載のランプ。
【請求項６】
発光ユニットと、
口金と、
導電性材料からなり且つ弾性変形可能であるとともに、前記口金から前記発光ユニットへの電力供給路における第１部位を構成する導電部材と、
前記発光ユニットへの電力供給路における前記第１部位とは異なる第２部位を構成する配線パターンが形成された基材と、
前記口金が取り付けられる口金取付部を有し前記基材を内部に収納するケースとを備え、
前記導電部材は、前記口金および前記基材における前記配線パターンが形成された部位いずれか一方に固定され且つ電気的に接続され、
前記口金が前記口金取付部に取り付けられた状態で、前記導電部材は、弾性変形により生じた復元力により前記口金および前記基材における前記配線パターンが形成された部位のうちの他方を押圧し且つ電気的に接続されている
ことを特徴とするランプ。
【請求項７】
前記口金のシェルは、前記口金取付部に取り付けられた状態で、その内周面に前記口金取付部の周壁と重ならず前記口金取付部の内側に露出した露出領域を有し、
前記導電部材が、前記基材における前記配線パターンが形成された部位に固定され且つ電気的に接続され、前記基材から延伸され且つ延伸端側が前記シェルの内周面における前記露出領域を前記シェルの径方向に押圧している
ことを特徴とする請求項６記載のランプ。
【請求項８】
前記露出領域は、前記口金取付部の周壁の開口端部に形成された切欠部に対向する領域である
ことを特徴とする請求項７記載のランプ。
【請求項９】
前記露出領域は、前記口金取付部の周壁の一部に形成された周壁の厚み方向に貫通する貫通孔に対向する領域である
ことを特徴とする請求項７記載のランプ。
【請求項１０】
前記ケースは、筒状であり、
前記基材は、前記配線パターンが形成された回路基板からなり、
前記回路基板は、前記ケースの筒軸方向に沿って配置され、
前記導電部材は、細長の板状に形成され且つ前記回路基板の法線方向に延伸している
ことを特徴とする請求項６記載のランプ。
【請求項１１】
前記導電部材は、前記基材に固定され、前記基材から前記口金のシェルの内周面における前記シェルの中心軸周りに等間隔に並ぶ複数箇所に向かって延伸し、前記シェルの内周面における前記複数箇所に接触している
ことを特徴とする請求項６記載のランプ。
【請求項１２】
前記基材は、前記配線パターンが形成された回路基板からなり、
前記導電部材は、前記回路基板における、前記シェルの中心軸を含み且つ前記回路基板に直交する仮想平面との交線上に固定され、前記回路基板の一面側および他面側それぞれから前記シェルの内周面における、前記仮想平面との交線上であって前記シェルの中心軸を挟んで対向する２箇所に向かって延伸し且つ前記シェルの内周面における前記２箇所に接触している
ことを特徴とする請求項１１記載のランプ。
【請求項１３】
前記基材は、前記配線パターンが形成された回路基板からなり、
前記導電部材は、前記シェルの内周面における、前記シェルの中心軸を含み且つ前記回路基板に平行な仮想平面との交線上であって前記シェルの中心軸を挟んで対向する２箇所に向かって延伸し且つ前記シェルの内周面における前記２箇所に接触している
ことを特徴とする請求項１１記載のランプ。
【請求項１４】
前記ケースは、筒状であり、
前記ケースは、筒軸を含む仮想平面に平行な仮想平面で２つに分割してなる第１半ケースと第２半ケースとから構成される
ことを特徴とする請求項６記載のランプ。
【請求項１５】
前記ケースは、筒状であり、
前記基材は、前記配線パターンが形成された回路基板からなり、
前記ケースの内周面には、前記ケースの筒軸方向に沿って前記回路基板を前記ケース内における固定位置に案内するためのレールが形成されている
ことを特徴とする請求項６記載のランプ。
【請求項１６】
前記ケースは、筒状であり、
前記導電部材は、前記口金のアイレットおよび前記基材における前記配線パターンが形成された部位のいずれか一方に固定され且つ電気的に接続され、
組み立て時において、前記アイレットおよび前記基材が前記ケースの筒軸方向に沿って互いに近づく方向に移動されると、前記導電部材が前記アイレットおよび前記基材における前記配線パターンが形成された部位のうちの他方を押圧し且つ電気的に接続される
ことを特徴とする請求項６記載のランプ。
【請求項１７】
前記基材は、前記配線パターンが形成された回路基板からなり、
前記アイレットは、板状に形成された頭部と、頭部の厚み方向における片面側から突出し且つ螺子部を有する柱状の軸部とから構成される螺子からなり、
前記導電部材は、
細長の板状に形成され且つ互いに対向する面が略平行となるように配置された２つの脚片と、
細長の板状に形成され且つ略中央部に前記螺子の前記軸部に螺合可能な螺子孔が設けられるとともに前記各脚片の長手方向における一端部同士を連結する連結片と、
前記各脚片の連結片に連続する側とは反対側の他端部それぞれに連続し且つ前記各脚片の一端部側に折曲されるとともに互いに近づく方向に凸となるような弧状に形成されてなる折曲片とを有し、
前記導電部材は、前記アイレットの前記軸部に前記螺子孔が螺合することにより前記アイレットに固定され且つ電気的に接続され、前記回路基板における前記配線パターンが形成された部位を前記回路基板の厚み方向における両側から前記各脚片に連続する前記折曲片の両方で挟持することにより前記回路基板における前記配線パターンが形成された部位の押圧し且つ電気的に接続する
ことを特徴とする請求項１６記載のランプ。
【請求項１８】
前記基材は、前記配線パターンが形成された回路基板からなり、
前記アイレットは、棒状のピンを有する金属端子であり、
前記導電部材は、
細長の板状に形成され且つ互いに対向する面が略平行となるように配置された２つの脚片と、
細長の板状に形成され且つ前記各脚片の長手方向における一端部同士を連結する連結片と、
前記各脚片における短手方向における一方向側の端部それぞれに連続し且つ前記一方向側とは反対方向側に折曲されるとともに互いに近づく方向に凸となるような弧状に屈曲されてなる折曲片とを有し、
前記導電部材は、前記回路基板における前記配線パターンが形成された部位に固定され且つ電気的に接続され、前記ピンを前記折曲片で挟持することにより前記アイレットを押圧し且つ電気的に接続される
ことを特徴とする請求項１６記載のランプ。
【請求項１９】
発光ユニットにアダプタを介して接続され、前記発光ユニットに電力を供給する回路モジュールであって、
前記発光ユニットに電力を供給する電源ユニットと、
前記電源ユニットを収納するケースと、
前記電源ユニットと電気的に接続された回路モジュール側出力端子とを備える
ことを特徴とする回路モジュール。
【請求項２０】
前記ケースは、前記アダプタが取着される部位に設けられたアダプタ取着部を有する
ことを特徴とする請求項１９に記載の回路モジュール。
【請求項２１】
更に、口金を有し、
前記ケースは、一端が開口した有底円筒状の主部と、当該主部の前記開口から前記主部の筒軸方向に延出し前記口金が外嵌される口金取付部とを有し、
前記アダプタ取着部は、板状の頭部と当該頭部の厚み方向における片面側から突出し先端部が前記ケースに固定されている軸部とを有するピンからなり、前記回路モジュール側出力端子としても機能するものである
ことを特徴とする請求項２０記載の回路モジュール。
【請求項２２】
前記発光ユニットと請求項１９記載の回路モジュールとの間に介在し前記発光ユニットと前記回路モジュールとを電気的および機械的に接続するアダプタであって、
アダプタ本体部と、
前記アダプタ本体部に設けられ且つ前記回路モジュール側出力端子から出力される電力を受電するアダプタ側受電端子とを備え、
前記回路モジュールが取着された状態において前記アダプタ側受電端子が前記回路モジュール側出力端子と接触している
ことを特徴とするアダプタ。
【請求項２３】
前記アダプタ本体部は、前記回路モジュールが取着される部位に設けられた回路被取着部を有する
ことを特徴とする請求項２２に記載のアダプタ。
【請求項２４】
前記アダプタ本体部は、有底筒状に形成されたベース部と、前記ベース部から離間して配置された天板部と、前記ベース部と前記天板部とを接続する支柱とを有し、
前記回路被取着部は、前記ベース部に設けられたベース部スリットからなり、
前記アダプタ側受電端子は、前記アダプタ本体部に固定され且つ長手方向における一端部が前記ベース部の前記ベース部スリットに近接して配置されるとともに、長手方向における他端部が前記天板部における前記ベース部側とは反対側に配置された少なくとも１つの細長の導電板の前記一端部からなり、
前記アダプタ側出力端子は、前記導電板の前記他端部からなる
ことを特徴とする請求項２３記載のアダプタ。
【請求項２５】
前記アダプタ本体部は、前記発光ユニットが取着される部位に設けられた発光ユニット取着部を有する
ことを特徴とする請求項２２記載のアダプタ。
【請求項２６】
請求項１９記載の回路モジュールと、
請求項２２記載のアダプタとを備える
ことを特徴とする回路アダプタユニット。
【発明の詳細な説明】
【技術分野】
【０００１】
本発明は、半導体発光素子を利用したランプおよび当該ランプに用いられる回路モジュール、アダプタおよび回路アダプタユニットに関し、特に、構造に関する。
【背景技術】
【０００２】
近年、白熱電球の代替品として、ＬＥＤ（Ｌｉｇｈｔ  Ｅｍｉｔｔｉｎｇ  Ｄｉｏｄｅ）などの半導体発光素子を利用した電球形のランプが普及しつつある（特許文献１乃至３参照）。【０００３】
このようなランプは、一般的に、発光部として実装基板に複数のＬＥＤが実装されて成るＬＥＤモジュールを有し、当該ＬＥＤモジュールと口金との間に存する筐体空間内にＬＥＤを点灯するための各種電子部品が回路基板上に実装された回路ユニットが収納され、ＬＥＤから発せられる光を、グローブを介して外部に出射する構成を有している。【０００４】
また、筐体がアルミ等の金属材料を用いて形成されている場合には、回路ユニットは一般に、樹脂等の絶縁性の部材で構成された回路ケース内部に収容された回路モジュールの形態で筐体空間内に収納されている。【０００５】
また、回路ユニットとＬＥＤモジュールとの間は、リード線等を用いて電気的に接続されているのであるが、当該電気的接続は、各部品の組み付けの際にリード線の引き回しを行い、部品が組み付けられた後にリード線を半田等により接続する方法や、リード線の先端に予めコネクタを取り付けておき、部品の組み付け後にコネクタ同士を接続する方法により行われている。
【先行技術文献】
【特許文献】
【０００６】
【特許文献１】特開２００８−２５１４４４号公報
【特許文献２】特開２０１１−５４３４０号公報
【特許文献３】特開２０１１−７６８７６号公報
【発明の概要】
【発明が解決しようとする課題】
【０００７】
しかし、リード線の引き回しは、部品に設けられた貫通孔や切欠き、スリット等にリード線を通して行われるため作業が煩雑であり、部品の組み付けには、手作業を要する工程も多く、作業効率向上の阻害要因となっている。【０００８】
また、ＬＥＤを利用した電球形のランプ（以下、「ＬＥＤランプ」という。）には、形状や、大きさ、口金サイズ、配光特性等の異なる様々な種類が存在し、回路モジュールが収容される筐体内部空間の形状や大きさも異なっている。そこで従来、それぞれの種類ごとに、その形状や大きさに合わせた回路モジュールが開発されており、そのため、開発の手間やコストがかかり、開発スピードの向上やコスト抑制の阻害要因となっている。【０００９】
本発明は上記事由に鑑みてなされたものであり、部品組み付けの際の電気的接続作業が容易化された回路モジュール、アダプタ、回路アダプタユニット、およびランプを提供することを目的とする。
【課題を解決するための手段】
【００１０】
上記目的を達成するため、本発明に係るランプは、発光ユニットと、回路モジュールと、アダプタとを備えるランプであって、発光ユニットは、発光ユニット側受電端子を有し、回路モジュールは、電源ユニットと、ケースと、回路モジュール側出力端子とを有する。発光ユニットは、半導体発光素子と、半導体発光素子に供給する電力を受電する発光ユニット側受電端子を有する。回路モジュールは、発光ユニットに電力を供給するものであって、発光ユニットに電力を供給する電源ユニットと、電源ユニットを収納するケースと、電源ユニットと電気的に接続された回路モジュール側出力端子とを有する。アダプタは、発光ユニットおよび回路モジュールの間に介在し且つ発光ユニットおよび回路モジュールとを機械的に接続する。アダプタは、アダプタ本体部と、アダプタ本体部に設けられ且つ回路モジュールから供給される電力を受電するアダプタ側受電端子と、アダプタ本体部に設けられ且つアダプタ側受電端子と電気的に接続されたアダプタ側出力端子とを有する。そして、発光ユニットと回路モジュールとがアダプタにより機械的に接続された状態において、発光ユニット側受電端子とアダプタ側出力端子とが接触するとともに、回路モジュール側出力端子とアダプタ側受電端子とが接触し、発光ユニットと回路モジュールとが電気的に接続される。
【発明の効果】
【００１１】
本構成によれば、発光ユニットおよび回路モジュールがアダプタにより接続されると、発光ユニット側受電端子とアダプタ側出力端子とが接触するとともに、回路モジュール側出力端子とアダプタ側受電端子とが接触する。これにより、発光ユニットの発光ユニット側受電端子と回路モジュールの回路モジュール側出力端子とが電気的に接続されるため、手作業により配線の引き回しや半田付け等の煩雑な作業を行うことなく、発光ユニットと回路モジュールとの間の電気的接続を行う作業の容易化を図ることができる。
【図面の簡単な説明】
【００１２】
【図１】実施の形態１に係るランプの概略構成を示す外観斜視図である。
【図２】実施の形態１に係るランプの概略構成を示す分解斜視図である。
【図３】実施の形態１に係るランプの図１に示すＡ−Ａ’線に沿った矢視断面図である。
【図４】実施の形態１に係る発光モジュールおよび基台（発光ユニット）の概略構成を示す図であり、（ａ）は外観斜視図であり、（ｂ）は上面図であり、（ｃ）は底面図である。
【図５】実施の形態１に係るアダプタの概略構成を示す図であり、（ａ）は外観斜視図であり、（ｂ）は上面図であり、（ｃ）は底面図である。
【図６】実施の形態１に係る回路モジュールの概略構成を示す分解斜視図である。
【図７】実施の形態１に係る発光モジュール、基台、アダプタおよびケースの斜視図である。
【図８】実施の形態１に係る発光モジュール、基台、アダプタおよび回路モジュールを示す外観斜視図である。
【図９】実施の形態２に係るランプの概略構成を示す外観斜視図である。
【図１０】実施の形態２に係るランプの分解斜視図である。
【図１１】実施の形態２に係るランプの概略構成を示す断面図である。
【図１２】実施の形態２に係る基台、発光モジュール、反射部材および補助反射部材の概略構成を示す斜視図である。
【図１３】実施の形態２に係るアダプタの概略構成を示す図であり、（ａ）は外観斜視図であり、（ｂ）は上面図であり、（ｃ）は底面図である。
【図１４】（ａ）は、実施の形態２に係るアダプタおよび回路モジュールが接続された状態を示す外観斜視図であり、（ｂ）は、（ａ）の状態から基台および発光モジュールが取着された状態を示す外観斜視図である。
【図１５】図１４（ｂ）の状態から反射部材および補助反射部材が取着された状態を示す外観斜視図である。
【図１６】実施の形態３に係るランプの分解斜視図である。
【図１７】実施の形態３に係るランプの要部分解斜視図である。
【図１８】実施の形態３に係るランプの要部断面図である。
【図１９】実施の形態３に係るランプの要部分解斜視図である。
【図２０】実施の形態３に係るランプの製造方法を説明するための図である。
【図２１】実施の形態３に係るランプの製造方法を説明するための図である。
【図２２】実施の形態４に係るランプの分解斜視図である。
【図２３】実施の形態４に係るランプの要部断面図である。
【図２４】実施の形態４に係るランプの要部分解斜視図である。
【図２５】実施の形態４に係るランプの製造方法を説明するための図である。
【図２６】実施の形態５に係るランプの分解斜視図である。
【図２７】実施の形態５に係るランプを示し、（ａ）は斜視図、（ｂ）は要部断面図である。
【図２８】実施の形態５に係るランプの各製造工程における分解斜視図である。
【図２９】実施の形態５に係るランプの各製造工程における分解斜視図である。
【図３０】実施の形態６に係るランプの分解斜視図である。
【図３１】実施の形態６に係るランプの要部分解斜視図である。
【図３２】実施の形態６に係るランプを示し、（ａ）は斜視図、（ｂ）は要部断面図である。
【図３３】実施の形態６に係る回路モジュールの分解斜視図である。
【図３４】実施の形態６に係る回路モジュールの断面図である。
【図３５】実施の形態６に係る回路モジュールの分解斜視図である。
【図３６】（ａ）は、変形例に係る回路モジュールおよびアダプタを示す分解斜視図であり、（ｂ）は、変形例に係るアダプタを別の角度から見た外観斜視図である。
【図３７】（ａ）は、変形例に係る回路モジュールおよびアダプタを示す分解斜視図であり、（ｂ）は、変形例に係るアダプタを別の角度から見た外観斜視図である。
【図３８】（ａ）は、変形例に係る回路モジュールおよびアダプタを示す分解斜視図であり、（ｂ）は、変形例に係るアダプタを別の角度から見た外観斜視図である。
【図３９】（ａ）は、変形例に係る回路モジュールおよびアダプタを示す分解斜視図であり、（ｂ）は、変形例に係るアダプタを別の角度から見た外観斜視図である。
【図４０】（ａ）は、変形例に係る回路モジュールおよびアダプタを示す分解斜視図であり、（ｂ）は、変形例に係る回路モジュールを別の角度から見た外観斜視図である。
【図４１】（ａ）は、変形例に係る回路モジュールおよびアダプタを示す分解斜視図であり、（ｂ）は、変形例に係る回路モジュールを別の角度から見た外観斜視図である。
【図４２】変形例に係るランプの概略構成を示す断面図である。
【図４３】（ａ）は、変形例に係る回路モジュールおよびアダプタを示す分解斜視図であり、（ｂ）は、変形例に係るアダプタを別の角度から見た外観斜視図である。
【図４４】変形例に係るランプが装着された照明装置の概略構成を示す断面図である。
【図４５】変形例に係る回路モジュールの概略構成を示す図であって、（ａ）は、外観斜視図であり、（ｂ）は、断面図である。
【図４６】変形例に係るケースの一部破断した斜視図である。
【図４７】変形例に係るケースの製造方法を説明するための図である。
【図４８】変形例に係るケースの製造方法を説明するための図である。
【図４９】変形例に係るケースの製造方法を説明するための図である。
【図５０】変形例に係るランプの要部断面図である。
【図５１】変形例に係るランプの製造方法を説明する図である。
【発明を実施するための形態】
【００１３】
本発明を実施するための形態を、以下に図面を参照して詳細に説明する。なお、各図は、模式図であり、図面に示された部品等の各構成要素の形状や寸法および比等については、必ずしも厳密に図示したものではない。また、本実施の形態で記載している、材料、数値等は好ましいものを例示しているだけであり、それに限定されることはない。また、本発明の技術的思想の範囲を逸脱しない範囲で、適宜変更は可能である。また、他の実施の形態との構成の一部同士の組み合わせは、矛盾が生じない範囲で可能である。
【００１４】
＜実施の形態１＞
＜１＞構成
図１は、実施の形態１に係るランプ１の概略構成を示す外観斜視図である。図２は、ランプ１の分解斜視図である。図３は、図１に示すＡ−Ａ’線に沿ったランプ１の矢視断面図である。図１においては、グローブ７０の内部の様子を示すために、グローブ７０については一部を切り欠いて図示している。図３において、紙面上下方向に沿って描かれた一点鎖線はランプ１のランプ軸Ｊ１を示しており、紙面上方がランプ１の「上方」であって、紙面下方がランプ１の下方である。また、ランプ軸とは、ランプ全体の外観から見た中心軸を意味し、ここでは、口金が回転しながらソケットに装着されるときの回転軸と一致している。以下、各実施の形態および各変形例においても同様である。
【００１５】
以下、本実施の形態に係るランプ１の構成について図面を参照しながら説明する。
【００１６】
ランプ１は、白熱電球を代替する電球型のランプであって、光源としての半導体発光素子にＬＥＤ（Ｌｉｇｈｔ  Ｅｍｉｔｔｉｎｇ  Ｄｉｏｄｅ）を用いたＬＥＤランプである。図１乃至図３に示すように、ランプ１は、発光モジュール１０と、基台２０と、アダプタ３０と、電源ユニット４０と、ケース５０と、筐体６０と、グローブ７０と、口金８０と、絶縁部材９０とを備える。
【００１７】
ここで、発光モジュール１０と基台２０とから発光ユニットが構成されている。また、電源ユニット４０とケース５０と口金８０とから回路モジュール９６が構成されている。更に、アダプタ３０と回路モジュール９６とから回路アダプタユニットが構成されている。
【００１８】
そして、発光ユニットと、アダプタ３０と、回路モジュール９６とが一体に組み合わさった状態で筐体６０内部に収容されている。ここにおいて、回路モジュール９６の口金８０およびケース５０の口金取付部５２は、筐体６０の下端部６２側開口から下方にはみ出した状態で収容されている。そして、グローブ７０は、発光ユニットの上方を覆うように筐体６０の上端部６１に取着されている。また、口金８０と筐体６０との間には、回路モジュール９６に外嵌された状態で絶縁部材９０が配置されている。
【００１９】
＜発光モジュール＞
図４は、発光モジュール１０および基台２０の概略構成を示す図であり、（ａ）は外観斜視図であり、（ｂ）は上面図であり、（ｃ）は底面図である。
【００２０】
図４に示すように、発光モジュール１０は、平面視矩形状のモジュール基板１１と、モジュール基板１１上に配設された１９個の発光部１２とを備える。発光モジュール１０は、基台２０の上面中央部の凹部２１の底面に接着剤等を用いて固定されている。
【００２１】
発光部１２は、平面視でモジュール基板１１の一辺に平行となる形でモジュール基板１１上に３列に配列されている。
【００２２】
図３に示すように、この発光部１２は、モジュール基板１１上に実装された半導体発光素子であるＬＥＤ１２ｂと、モジュール基板１１上においてＬＥＤ１２ｂを封止する封止体１２ｃとからなる。ここで、ＬＥＤ１２ｂは、青色光を出射するものであり、封止体１２ｃは、青色光を黄色光に波長変換する蛍光体粒子が混入されたシリコーン樹脂からなる。そして、半導体発光素子から出射された青色光の一部が封止体によって黄色光に波長変換され、未変換の青色光と変換後の黄色光との混色により生成される白色光が発光部１２から出射される。モジュール基板１１は、金属製の板材の表面を絶縁部材で覆うことにより形成されている。
【００２３】
図４に示すように、モジュール基板１１上において、発光部１２が配設された領域に対して発光部１２の並び方向に直交する方向における両側には、発光部１２に電気的に接続された２つの電極パッド１１ａが配設されている。この電極パッド１１ａは、回路モジュール９６からＬＥＤ１２ｂに供給する電力を受電するための発光ユニット側受電端子を構成している。
【００２４】
なお、発光部１２は、例えば、紫外線発光のＬＥＤと三原色（赤色、緑色、青色）に発光する各色蛍光体粒子とを組み合わせたものでも良い。さらに、波長変換材料として半導体、金属錯体、有機染料、顔料など、ある波長の光を吸収し、吸収した光とは異なる波長の光を発する物質を含んでいる材料を用いても良い。以下、各実施形態および各変形例においても同様である。
【００２５】
また、発光部１２は、例えば、ＬＤ（レーザダイオード）であってもよくＥＬ素子（エレクトリックルミネッセンス素子）を用いたものであってもよい。また、モジュール基板１１は、例えば、セラミックス基板から構成されるものであってもよい。以下、各実施形態および各変形例においても同様である。
【００２６】
＜基台＞
基台２０は、円板状に形成され且つ厚み方向における一面側の略中央部に平面視矩形状の凹部２１が形成されている。この凹部２１は、平面視で外形寸法がモジュール基板１１の外形寸法と略同じ大きさであり、深さがモジュール基板１１の厚みに略等しい。そして、発光モジュール１０は、この凹部２１の底面に接着剤を用いて固定されている。この基台２０と、発光モジュール１０とから発光ユニットが構成されている。
【００２７】
また、凹部２１の外周部には、基台２０の厚み方向に貫通し且つ一部が凹部２１の３辺に沿う２つの基台スリット２２ａ，２２ｂが形成されている。また、凹部２１の３辺のうち外周部にスリットが形成されていない１辺と当該１辺と交わる２辺とのなす２つの角部には、凹部２１の内側に連続する平面視略円形状の凹部２１ａが形成されている。ここで、基台スリット２２ａ，２２ｂは、凹部２１の辺に沿って形成された幅狭部２２ａ１，２２ｂ１と、幅狭部２２ａ１，２２ｂ１それぞれの端部に連続し且つ平面視で互いに近づく方向に幅が広がっている幅広部２２ａ２，２２ｂ２とからなる。この基台スリット２２ａ，２２ｂが、アダプタ３０が取着されるアダプタ被取着部を構成している。
【００２８】
また、図４（ｃ）に示すように、基台２０の上記一面側とは反対側の他面側には、平面視で略弧状の突起２３が形成されている。基台２０の周縁部には、全周に亘って段部２４が形成されている。基台２０は、アダプタ３０における回路モジュール９６側とは反対側に配置されており、発光部１２の主出射方向がランプ１の上方（紙面上方）に一致している。
【００２９】
この基台２０は、熱伝導性の高い材料により形成されている。なお、基台２０は、例えば金属材料からなり、金属材料としては、例えばＡｌ、Ａｇ、Ａｕ、Ｎｉ、Ｒｈ、Ｐｄ、またはそれらの内の２以上からなる合金、またはＣｕとＡｇの合金などからなるものであってもよい。このような金属材料は、熱伝導性が良好であるため、発光部１２のＬＥＤ１２ｂで発生した熱を筐体６０に効率良く伝導させることができる。
【００３０】
なお、発光モジュール１０が基台２０の凹部２１の底面への固定方法は、接着剤を用いた方法に限定されるものではない。例えば、発光モジュール１０が載置された基台２０がアダプタ３０に取着されると、保持部材３４により発光モジュール１０が基台２０に押し付けられるようにしてもよい。この場合、接着剤が不要となるため、その分、部品点数の削減および製造容易化を図ることができる。
【００３１】
＜アダプタ＞
図１乃至図３に示すように、アダプタ３０は、回路モジュール９６と、発光モジュール１０および基台２０との間に介在して、双方を機械的且つ電気的に接続する。
【００３２】
アダプタ３０の概略構成について、外観斜視図を図５（ａ）に示し、上面図を図５（ｂ）に示し、底面図を図５（ｃ）に示す。
【００３３】
図５（ａ）乃至（ｃ）に示すように、アダプタ３０は、アダプタ本体部３０ａと一対の導電板３５とから構成される。
【００３４】
アダプタ本体部３０ａは、ベース部３１とベース部３１から離間して配置された天板部３２と、ベース部３１と天板部３２とを互いに接続する３つの支柱３３からなる。また、アダプタ本体部３０ａは、更に、導電板３５を保持するための保持部材３４を備える。このアダプタ本体部３０ａは、熱伝導性の高い樹脂材料により形成されている。
【００３５】
ベース部３１は、有底円筒状に形成されている。ベース部３１は、中心部を挟んで対向する２箇所に底壁を厚み方向に貫通するベース部スリット３１ａ，３１ｂが形成されている。このベース部スリット３１ａ，３１ｂは、アダプタ本体部３０ａにおける回路モジュールが取着される部位に設けられ、回路モジュール９６を係合により保持する回路被取着部を構成している。このベース部スリット３１ａ，３１ｂは、円弧状の幅広部３１ａ１，３１ｂ１と、幅広部３１ａ１，３１ｂ１に連続し且つ幅広部３１ａ１，３１ｂ１に比べて幅が狭い幅狭部３１ａ２，３１ｂ２とを有する。そして、幅狭部３１ａ２，３１ｂ２には、幅狭部３１ａ２，３１ｂ２に配置された後述の出力端子５３の移動を規制するための突起３１ａ３，３１ｂ３が形成されている。また、ベース部３１には、ベース部スリット３１ａ，３１ｂの外周部の一部に沿ってリブ３６が形成されている。
【００３６】
天板部３２は、半円部分３２ａと舌片部分３２ｂとからなる。
【００３７】
支柱３３は、ベース部３１からベース部３１の筒軸方向における天板部３２側に突出している。
【００３８】
保持部材３４は、鉤本体部３４ａとアーム部３４ｂとから構成される。アーム部３４ｂは、一端部がベース部３１に配置され他端部が天板部３２を貫通して天板部３２におけるベース部３１側とは反対側の面上に配置されるとともに内部に細長板状の導電板３５を保持する。鉤本体部３４ａは、断面鉤状に形成されており、導電板３５のアダプタ側出力端子３５ｂが天板部３２側に突出している。そして、天板部３２におけるベース部３１側とは反対側の面にモジュール基板１１が載置された状態で、導電板３５のアダプタ側出力端子３５ｂがモジュール基板１１上に形成された電極パッド１１ａを弾性押圧する。これにより、導電板３５とモジュール基板１１に形成された電極パッド１１ａとが電気的に接続される。ここで、鉤本体部３４ａは、アダプタ本体部３０ａにおける、発光ユニット（発光モジュール１０が載置された基台２０）が取着される部位に設けられた発光ユニット取着部を構成する。
【００３９】
導電板３５は、銅等の導電性を有する材料からなる細長の板状部材の一部を湾曲または屈曲して形成されている。導電板３５のベース部３１側の端部にはアダプタ側受電端子３５ａが形成され、ベース部スリット３１ａ，３１ｂに近接した位置に配置されている。ここで、導電板３５のアダプタ側受電端子３５ａは、保持部材３４の一端部からベース部スリット３１ａ，３１ｂ側に突出している。導電板３５の天板部３２側の端部には、アダプタ側出力端子３５ｂが形成され、保持部材３４の鉤本体部３４ａにおける天板部３２に対向する面側に配置されている。
【００４０】
なお、べース部３１は、突起３１ａ３，３１ｂ３を備える構成に限定されるものではなく、突起３１ａ３，３１ｂ３を備えない構成であってもよい。この場合、例えば、幅狭部３１ａ２，３１ｂ２を、幅広部３１ａ１，３１ｂ１から遠ざかるにつれて幅が狭くなる形状として、幅狭部３１ａ２，３１ｂ２の幅が狭くなった部分に出力端子５３が圧入されることにより保持されるようにすればよい。
【００４１】
＜電源ユニット＞
図３に示すように、電源ユニット４０は、回路基板４１と、回路基板４１上に配された各種の電子部品４２とを有している。電源ユニット４０は、ケース５０内部に収容されている。
【００４２】
回路モジュール９６の概略構成を示す分解斜視図を図６に示す。
【００４３】
図６に示すように、回路基板４１は、矩形板状の主部４１ａと、矩形板状であり且つ主部４１ａの一辺から当該一辺と直交し且つ主部４１ａの主面に沿った方向に延出する延出部４１ｂとから構成される。回路基板４１には、口金から発光ユニットへの電力供給路の一部（第２部位）を構成する配線パターン（図示せず）が形成されている。ここで、延出部４１ｂが延出する方向と直交する方向において、主部４１ａの長さが延出部４１ｂの長さよりも長くなっており、主部４１ａと延出部４１ｂとの間に２つの段部４１ｃが形成されている。主部４１ａにおける延出部４１ｂに連続する側とは反対側の端部には、延出部４１ｂの延出方向に直交する方向における中央部を挟んで２つの貫通孔４１ｆが並列して形成されている。また、延出部４１ｂにおける主部４１ａに連続する側とは反対側の端部には、延出部４１ｂの延出方向に直交する方向における略中央部から２本の金属からなる電源線４４，４５が延出している。
【００４４】
＜ケース＞
図１乃至図３および図６に示すように、ケース５０は、主部５１および口金取付部５２からなる。主部５１は、上端側が閉塞され下端側が開口した有底円筒状であり、口金取付部５２は、両側が開口した略円筒形状であり、筒軸とランプ軸Ｊ１とが一致するように軸方向において連接されている。口金取付部５２には、口金８０が外嵌されており、これによってケース５０の下側開口が塞がれている。また、ケース５０の上端側には、一対の出力端子（回路モジュール側出力端子）５３が設けられている。ケース５０は、樹脂等の絶縁性材料から形成されている。ここで、出力端子５３は、ケース５０におけるアダプタ３０が取着される部位に設けられたアダプタ取着部に相当する。また、ケース５０の内部には、回路基板４１がケース５０の筒軸方向に沿って配置された状態で電源ユニット４０が収納されている。
【００４５】
出力端子５３は、いわゆるダルマピンであり、円板状の頭部５３ａと、頭部５３ａの厚み方向における片面側から突出し先端部がケース５０に固定されている軸部とを有する。また、出力端子５３は、更に、軸部５３ｂの筒軸方向に直交する方向に延出し且つ頭部５３ａから軸部５３に沿って離間して配置された第１板部５３ｃと、軸部５３ｂの筒軸方向において第１板部５３ｃから頭部５３ａ側とは反対側に離間して配置された第２板部５３ｄと、金属からなるＬ字棒状に形成され一端部が軸部５３ｂの内部に挿入されたピン４３とを備える。軸部５３ｂの筒軸方向において、頭部５３ａと第１板部５３ｃとの間の間隔は、アダプタ３０のベース部３１の底壁の厚みに比べて小さくなっている。また、頭部５３ａの外径寸法は、ベース部３１に形成されたベース部スリット３１ａ，３１ｂの幅広部３１ａ１，３１ｂ１の幅に比べて小さく幅狭部３１ａ２，３１ｂ２の幅に比べて大きくなっている。そして、ケース５０がアダプタ３０に固定された状態では、出力端子５３の頭部５３ａの周部がベース部スリット３１ａの幅狭部３１ａ２，３１ｂ２の外周部に係止される。
【００４６】
また、ピン４３の上記一端部とは反対側の他端部は、回路基板４１に形成された貫通孔４１ｆそれぞれに挿通された状態で半田付けにより回路基板４１に固定される。ここにおいて、出力端子５３の頭部５３ａの周面には、保持部材３４から突出した導電板３５のアダプタ側受電端子３５ａが弾性押圧する（図８参照）。これにより、電源ユニット４０と導電板３５とが出力端子５３を介して電気的に接続される。つまり、出力端子５３がベース部スリット３１ａ，３１ｂに係合した状態で固定されると、出力端子５３とアダプタ側受電端子３５ａとが接触して電気的に接続される。
【００４７】
図６に示すように、ケース５０は、第１半ケース５０ａと第２半ケース５０ｂとが組み合わされて構成される。第１半ケース５０ａおよび第２半ケース５０ｂにおける蓋部５０ａ１，５０ｂ１それぞれには、互いに対向する端面側に凹部５０ａ２，５０ｂ２が形成され、各凹部５０ａ２，５０ｂ２の内側には、筒軸方向から見て半円形状の切欠部５０ａ３，５０ｂ３が形成されている。ここで、凹部５０ａ２，５０ｂ２の深さは、出力端子５３の第１板部５３ｃの厚みと略同じである。また、第１半ケース５０ａと第２半ケース５０ｂとを組み合わせた状態で、ケース５０を筒軸方向における主部５１から口金取付部５２に向かう方向から見た場合、凹部５０ａ２，５０ｂ２から構成される形状が、出力端子５３の第１板部５３ｃを軸部５３ｂに沿った方向から見た外周形状と略一致する。これにより、出力端子５３の第１板部５３ｃを凹部５０ａ２，５０ｂ２に嵌合した状態で、第１板部５３ｃにおける頭部５３ａ側の面と蓋部５０ａ１，５０ｂ１の上面とが平坦に連続する。そして、ケース５０をアダプタ３０のベース部３１の内側に嵌合した状態では、第１板部５３ｃにおける頭部５３ａ側の面および蓋部５０ａ１，５０ｂ１の上面とが、アダプタ３０のベース部３１の下面に密着する。これにより、アダプタ３０からケース５０或いは出力端子５３への伝熱性を向上させることができる。
【００４８】
また、第１半ケース５０ａのうち主部５１に相当する部分には、内周面から外側に向かって回路基板４１を支持するための３本の支柱５０ａ５が突出している。そして、各支柱５０ａ５の先端部には、段部５０ａ５１が形成されており、回路基板４１の主部４１ａにおける延出部４１ｂに連続する側とは反対側の周縁部の略中央部と、延出部４１ｂに連続する側の周縁部の延出部４１ｂの延出方向に直交する方向における両端部とが各段部５０ａ５１上に載置された状態で回路基板４１が支柱５０ａ５により支持される。つまり、回路基板４１は、その端縁部が支柱５０ａ５の段部５０ａ５１に嵌り込んだ状態でケース５０内部に固定される。
【００４９】
また、第１半ケース５０ａのうち主部５１に相当する部位における口金取付部５２とは反対側の端部には、第１半ケース５０ａを第２半ケース５０ｂに係合させるための係合爪５０ａ４が突出している。この係合爪５０ａ４の先端部には、係合爪５０ａ４の突出方向に向かって突出量が漸減するようなフック５０ａ４１が形成されている。一方、第２半ケース５０ｂのうち主部５１に相当する部位の周壁には、係合爪５０ａ４の先端部のフック５０ａ４１を係合する係合孔５０ｂ４が形成されている。そして、第１半ケース５０ａと第２半ケース５０ｂとは、係合爪５０ａ４の先端部に設けられたフック部５０ａ４１が係合孔５０ｂ４に係合することにより一体的に保持される。
【００５０】
＜筐体＞
図１乃至３に示すように、筐体６０は、円筒状に形成されており、両端が開口し口金８０側の上端側から下端側に向けて縮径した円筒形状を有する。また、筐体６０の筒軸方向における上端部６１には基台２０とグローブ７０の開口端部７１とが収容されている。筐体６０の内部には、回路モジュール９６およびアダプタ３０が収納されている。また、筐体６０の筒軸方向における下端部６２側開口には、ケース５０の口金取付部５２が挿通されている。この筐体６０は、アルミニウム等の金属から形成されている。
【００５１】
なお、筐体６０は、例えば、底面に開口を有する椀形状をした部材であってもよい。また、筐体６０を構成する材料は、金属に限定されるものではなく樹脂等であってもよい。
【００５２】
＜グローブ＞
グローブ７０は、略半球状の形状を有し、発光モジュール１０の上方を覆った状態で筐体６０に固定されている。具体的には、グローブ７０は、その開口端部７１が筐体６０の上端部６１側開口に嵌め込まれ基台２０の段部２４上に載置された状態で、開口端部７１、筐体６０の内周面、および基台２０の段部２４に囲まれた空間に接着剤７３を流し込むことにより固定される。
【００５３】
グローブ７０は、透光性の樹脂材料から形成されている。また、グローブ７０の内面７２には、発光モジュールから発せられた光を拡散させる拡散処理（例えば、シリカや白色顔料等による拡散処理）が施されている。グローブ７０の内面に入射した光はグローブ７０を透過しグローブ７０の外部へと取り出される。
【００５４】
なお、グローブ７０の筐体６０への固定は、接着剤を用いた方法に限られず、例えば、グローブ７０の開口端部７１が筐体６０の上端部６１側開口に圧入固定する方法であってもよいし、他の係合構造等を用いるものであってもよい。また、グローブ７０を構成する透光性材料としては、ガラスやセラミックス等からなるものであってもよい。更に、グローブ７０の形状は、略半球状の形状に限定されるものではない。また、ランプ１は、グローブを備えない構成でも良い。
【００５５】
＜口金＞
口金８０の種類は、特に限定されるものではないが、本実施の形態ではエジソンタイプであるＥ２６口金が使用されている。口金８０は、略円筒形状であって外周面が雄螺子部となっているシェル８１と、ドーム状のアイレット８２と、シェル８１とアイレット８２との間に介在する絶縁体部８３とから構成されている。口金８０のシェル８１の内周面には、ケース５０の口金取付部５２の外周面に設けられた雄螺子部５２ａに螺合可能な雌螺子部８１ａが設けられている。また、絶縁体部８３およびアイレット８２それぞれには、口金８０の内側から外側に向かって貫通する貫通孔８３ａ，８２ａが形成されている。ここで、電源ユニット４０から導出された電源線４４は、その先端部が貫通孔８３ａ，８２ａの内側に配置されており、貫通孔８３ａ，８２ａに半田が充填されている。これにより、電源線４４とアイレット８２とが電気的に接続される。また、電源ユニット４０から導出された電源線４５は、口金取付部５２の外周面に引き回し口金取付部５２の周壁と口金８０の内周面との間を通して口金８０の外側に引き出してから半田等からなる導電性部材８５によりシェル８１に固着されている。
【００５６】
以上、ケース５０、電源ユニット４０、出力端子５３、および口金８０から発光モジュール１０および基台２０からなる発光ユニットに電力を供給する回路モジュール９６を構成している。
【００５７】
＜絶縁部材＞
絶縁部材９０は、筐体６０と口金８０との間に介在し、両者間の電気的絶縁性を確保するための部材である。
【００５８】
絶縁部材９０は、内径が口金取付部５２の外径と略同じ円筒状の主部９０ａと主部９０ａにおける筒軸方向における筐体６０側の端部から径方向に突出した鍔部９０ｂとを備える。この絶縁部材９０は、合成樹脂等の絶縁材料から形成されている。
【００５９】
＜２＞発光モジュール１０、基台２０、アダプタ３０および回路モジュール９６の接続方法
次に、ランプ１を構成する発光モジュール１０、基台２０、アダプタ３０、回路モジュール９６を接続する方法について図７および図８を用いて説明する。
【００６０】
本実施の形態に係る発光モジュール１０、基台２０、アダプタ３０およびケース５０の分解斜視図を図７に示し、本実施の形態に係る発光モジュール１０、基台２０、アダプタ３０および回路モジュール９６を示す外観斜視図を図８に示す。
【００６１】
図７の矢印Ａ１に示すように、まず、発光モジュール１０のモジュール基板１１を基台２０の凹部２１に嵌合させる。このとき、凹部２１の角部に平面視円形状の凹部２１ａが形成されていることにより、モジュール基板１１を凹部２１に嵌合させる際に、モジュール基板１１の角部が平面視円形状の凹部２１ａの外周縁に引っ掛りにくくなっており、組み立てを容易にしている。
【００６２】
次に、図７の矢印Ａ２に示すように、アダプタ３０の一部を構成する保持部材３４の鉤本体部３４ａが基台２０に形成されたスリット２２ａ，２２ｂの幅広部２２ａ２，２２ｂ２に挿入されると、天板部３２が基台２０における凹部２１側とは反対側の面に当接するとともに、幅広部２２ａ２，２２ｂ２にアーム部３４ｂが位置した状態となる。そして、基台２０を天板部３２との当接面に沿って幅狭部２２ａ１，２２ｂ１の延長方向に摺動させると、アーム部３４ｂが幅狭部２２ａ１，２２ｂ１内部を幅広部２２ａ２，２２ｂ２の反対側へと移動し、天板部３２の舌片部分３２ｂの周面が基台２０における凹部２１側とは反対側の面に設けられた略円弧状の突起２３に当接して上記移動が規制される。すると、保持部材３４の鉤本体部３４ａと基台２０の凹部２１の底部とで、モジュール基板１１が挟持された状態で、基台２０がアダプタ３０に取着される（図８参照）。このとき、モジュール基板１１上に形成された電極パッド１１ａに導電板３５のアダプタ側出力端子３５ｂが接触し、電極パッド１１ａと導電板３５とが電気的に接続される。また、天板部３２には、基台２０の天板部３２に対する移動を規制する突起２３が設けられていることにより、基台２０の天板部３２に対する位置決めを容易に行うことができる。
【００６３】
続いて、図７の矢印Ａ３に示すように、ケース５０から突出する２つの出力端子５３をアダプタ３０のベース部３１に形成されたベース部スリット３１ａ，３１ｂの幅広部３１ａ１，３１ｂ１それぞれに挿入し、ケース５０の外面がベース部３１の内面に当接した状態で、ケース５０の主部５１における口金取付部５２側とは反対側の端部をベース部３１の内側に嵌合させる。
【００６４】
その後、図７の矢印Ａ４に示すように、電源ユニット４０を収納したケース５０をアダプタ３０に対してケース５０からアダプタ３０を臨む方向から見てランプ軸Ｊを中心として時計回りに回転させることで、出力端子５３の頭部５３ａがリブ３６の側面に摺接し、出力端子５３の軸部５３ｂが幅広部３１ａ１，３１ｂ１から幅狭部３１ａ２，３１ｂ２に案内される。このとき、出力端子５３が、突起３１ａ３，３１ｂ３（図５参照）を乗り越えて移動し、幅狭部３１ａ２，３１ｂ２における幅広部３１ａ１，３１ｂ１側とは反対側の端部に当接すると、突起３１ａ３，３１ｂ３により幅広部３１ａ１，３１ｂ１側への移動が規制される。そして、出力端子５３の頭部５３ａとケース５０の蓋部５０ｃとでアダプタ３０のベース部３１の底壁を挟持する状態で、ケース５０がアダプタ３０に固定されるとともに、出力端子５３の頭部５３ａの周面が導電板３５のアダプタ側受電端子３５ａに接触する（図８参照）。
【００６５】
このように、リブ３６が設けられていることにより、出力端子５３の軸部５３ｂを幅広部３１ａ１，３１ｂ１から幅狭部３１ａ２，３１ｂ２に移動させやすくなっているので、ケース５０をアダプタ３０に固定する作業の効率を向上させることができる。また、幅狭部３１ａ２，３１ｂ２に形成された突起３１ａ３，３１ｂ３が、ケース５０がアダプタ３０に対してケース５０からアダプタ３０を臨む方向から見て反時計回りに回転することを規制するので、ケース５０がアダプタ３０に堅固に固定される。したがって、組み立て作業中にアダプタ３０からケース５０が離脱してしまうことを抑制できるので、組み立て不良の発生を低減することができる。
【００６６】
次に、電源線４５を口金取付部５２の外周面に引き回す。
【００６７】
続いて、口金８０の雌螺子部８１ａ（図３参照）を口金取付部５２の雄螺子部５２ａに螺合させることにより、口金８０を口金取付部５２に外嵌させる。このとき、電源線４５の先端部は、口金取付部５２の周壁と口金８０の内周面との間を通して口金８０の外側に引き出された状態となる。一方、電源線４４は、口金８０のアイレット８２の貫通孔８２ａの内側に配置される。その後、貫通孔８２ａに半田を流し込むことによって、アイレット８２と電源線４４とが電気的に接続される。
【００６８】
最後に、口金８０の外側に引き出された電源線４５の先端部とシェル８１とを半田８５により固着する。これにより、図８に示すような、構造体が完成する。
【００６９】
なお、この構造体を筐体６０内に収納する場合、口金８０が口金取付部５２に取付けられていない状態で、筐体６０に収納し、筐体６０の下端部６２側開口から口金取付部５２が突出した状態で口金取付部５２に絶縁部材９０を嵌め込み、その後、口金８０を口金取付部５２に取り付ける。
【００７０】
＜３＞まとめ
以上説明したように、本実施形態に係るランプ１の構成によると、発光ユニット、即ち、発光モジュール１０が載置された基台２０と回路モジュール９６とがアダプタ３０により接続されると、電極パッド１１ａとアダプタ側出力端子３５ｂとが接触するとともに、出力端子５３とアダプタ側受電端子３５ａとが接触する。これにより、発光モジュール１０の電極パッド１１ａと回路モジュール９６の出力端子５３とが電気的に接続されるため、手作業により配線の引き回しや半田付け等の煩雑な作業を行うことなく、発光ユニットと回路モジュール９６との間の電気的接続を簡便に行うことができる。
【００７１】
具体的には、出力端子５３とベース部スリット３１ａ，３１ｂとを係合させる簡単な動作により回路モジュール９６とアダプタ３０との機械的接続を行うことができるとともに、当該機械的接続に伴って回路モジュール９６とアダプタ３０との電気的接続も同時に行うことができる。これにより、ランプ１の組み立て時における作業効率の改善を図ることができるとともに、機械化が容易となるという利点もある。
【００７２】
更に、複数種類の基台２０に対しても、それぞれに対応したアダプタ３０を使用することにより、同一の回路モジュール９６を共通して使用することができる。これにより、異なる種類のランプ１に対して回路モジュール９６を共通化することができ、開発スピード向上およびコスト抑制に資することができる。なお、複数種類のランプ１に回路モジュール９６を共通して使用する際には、回路モジュール９６を収容するための筐体６０内部の空間が最も小さい種類のランプに合わせて回路モジュール９６を設計するとよい。このようにすると、回路モジュール９６を共通化できるランプ１の種類を増加させることができる。
【００７３】
さらに、ランプ１は、配光特性が違うなど種類が異なっていても出力ワット数が同じであれば電源ユニット４０の構成は基本的に同じである。従って、アダプタ３０の回路モジュール９６が取着される部分の構造が同じであれば、アダプタ３０のそれ以外の部分の大きさや形状、および、発光部の大きさや形状が異なっていても、これらのアダプタ３０に同じ回路モジュール９６が取着可能であり、ランプ１の種類に応じた大きさや形状のアダプタ３０および基台２０を使用すれば、複数種類のランプ１に対して同じ回路モジュール９６を共通して使用することができる。これにより、それぞれの種類ごとに回路モジュール９６を開発する手間を省略することができる。
【００７４】
＜実施の形態２＞
実施の形態１に係る回路モジュール９６と基台２０および発光モジュール１０からなる発光ユニットとを、アダプタ３０を介して接続する構成は、実施の形態１のランプ１とは異なるタイプのランプに適用することも可能である。
【００７５】
以下、実施の形態１に係るランプ１に比べて広い配光角を実現する構造を備えたタイプのランプ１００について説明する。
【００７６】
図９は、ランプ１００の概略構成を示す外観斜視図である。図１０は、ランプ１００の分解斜視図である。図１１は、ランプ１００の断面図である。なお、図９においては、グローブ１７０の内部の様子を示すために、グローブ１７０については一部を切り欠いて図示している。また、図１１において、紙面上下方向に沿って描かれた一点鎖線はランプ１００のランプ軸Ｊ２を示している。
【００７７】
ランプ１００は、発光モジュール１１０と、反射部材１１７と、補助反射部材１１８と、基台１２０と、アダプタ１３０と、筐体１６０と、グローブ１７０と、回路モジュール９６と、絶縁部材９０とを備える。そして、発光モジュール１１０と反射部材１１７と補助反射部材１１８と基台１２０とから発光ユニットが構成されている。また、アダプタ１３０と回路モジュール９６とから回路アダプタユニットが構成されている。
【００７８】
ここで、発光モジュール１１０、基台１２０と、アダプタ１３０、筐体１６０およびグローブ１７０の構造が実施の形態１とは相違する。また、ランプ１００は、反射部材１１７と補助反射部材１１８とを備える点が実施の形態１とは相違する。なお、実施の形態１と同様の構成については、同一の符号を付して適宜説明を省略する。
【００７９】
また、ランプ１００では、実施の形態１に係るランプ１と同様に、発光ユニットと、アダプタ１３０と、回路モジュール９６が一体に組み合わさった状態で筐体１６０内部に収容されている。ここにおいて、回路モジュール９６の口金８０およびケース５０の口金取付部５２は、筐体１６０の下端部１６２側開口から下方にはみ出した状態で収容されている。そして、グローブ１７０は、発光ユニットの上方を覆うように筐体１６０の上端部１６１に取着されている。また、口金８０と筐体１６０との間には、回路モジュール９６に外嵌された状態で絶縁部材９０が配置されている。
【００８０】
ランプ１００の要部の分解斜視図を図１２に示す。
【００８１】
発光モジュール１１０は、モジュール基板１１１と、モジュール基板１１１上に実装された複数の発光部１２とを備える。
【００８２】
モジュール基板１１１は、中央に略円形の貫通孔１１１ａを有する略円環状の素子実装部１１１ｂと、素子実装部１１１ｂの内周縁の一箇所から貫通孔１１１ａの中心へ向けて延出した一対の舌片部１１１ｃとから成る。舌片部１１１ｃ上には、ＬＥＤ１２ｂを発光させるための電力を受電する電極パッド（発光ユニット側受電端子）１１１ｄがそれぞれ設けられている。
【００８３】
発光部１２は、１６個存在し、素子実装部１１１ｂの周方向に沿って略等間隔に円環状に並べられている。発光部１２は、素子実装部１１１ｂの径方向に沿って並べられた２個のＬＥＤ１２ｂと、当該２個のＬＥＤ１２ｂを封止する略直方体形状の封止体１２ｃとからなる。各封止体１２ｃの長手方向は、素子実装部１１１ｂの径方向と一致している。なお、本実施の形態では、１６個の発光部１２が円環状に並べられている例について説明したが、１６個の発光部１２の並べ方は、円環状に限定されるものではなく、三角形、四角形、五角形など多角形の環状であってもよい。
【００８４】
基台１２０は、モジュール基板１１１の素子実装部１１１ｂが載置される円環状の主載置面１２０ａと、舌片部１１１ｃが載置される舌片部分１２０ｃ１を備える。挿入孔部分は、舌片部分１２０ｃ１に隣接して設けられている。舌片部分１２０ｃ１と挿入孔部分１２０ｃ２とでアダプタ１３０が取着されるアダプタ被取着部１２０ｃを構成している。主載置面１２０ａの上面における周縁部には４つの凸部１２０ｄが互いに間隔を開けて配設されており、凸部１２０ｄとモジュール基板１１１に設けられた凹部１１１ｅとを係合させることによって位置決めを行うことができる。主載置面１２０ａ上に素子実装部１１１ｂが載置された状態において、発光部１２それぞれの主出射方向が上方を向いている。また、基台１２０の内側開口の外周部における中心を挟んで対向する２箇所に螺子孔１２０ｆが設けられている。基台１２０は、金属材料から形成されている。この金属材料としては、例えば、Ａｌ、Ａｇ、Ａｕ、Ｎｉ、Ｒｈ、Ｐｄ、またはそれらの内の２以上からなる合金、またはＣｕとＡｇの合金等を採用すればよい。なお、主載置面１２０ａは略円環形状に限定されず、どのような形状であっても良い。また、主載置面１２０ａは、ＬＥＤ１２ｂを平面配置できるのであれば、必ずしも主載置面１２０ａ全体が平面である必要はなく、一部に突起等がある形状であってもよい。
【００８５】
反射部材１１７は、略円筒形状を有し且つ下端側から上端側に向かって拡径している本体部１１７ａと、略円筒形状を有し且つ本体部１１７ａの下端側で連続する基台部１１７ｆとからなる。本体部１１７ａは、下側からランプ軸Ｊ２に沿って上側を見た場合に略円環形状であって、モジュール基板１１１上に環状に配置された複数の発光部１２の一部を覆うように配置されている。本体部１１７ａには、本体部１１７ａの筒軸周りに略等間隔に複数（図１２では１６個）の開口部１１７ｂが設けられている。また、本体部１１７ａの外周面は、発光部１２からの光の一部を反射する反射面１１７ｃを構成している。ここにおいて、発光部１２から発せられた光の一部は、反射部材１１７の開口部１１７ｂを通じて上方へと透過し、残りの光は、反射面１１７ｃにおいて側方や斜め下方に反射される。基台部１１７ｆには、補助反射部材１１８が取着される溝部１１７ｄと、反射部材１１７を基台１２０にねじ等を用いて固定するための螺子孔１１７ｅとが形成されている。発光モジュールの凹部１１１ｅに基台１２０の凸部１２０ｄが嵌め合わされた状態でその上から反射部材１１７の螺子孔１１７ｅおよび基台１２０の螺子孔１１７ｅに挿入された螺子（図示せず）を基台１２０の螺子孔１２０ｆそれぞれに螺合させることにより、反射部材１１７および発光モジュール１１０が基台１２０に共締め固定される。また、反射部材１１７は、白色のポリカーボネート樹脂から形成されている。なお、開口部１１７ｂの全部または一部に透光性部材が嵌め込まれた構成であってもよい。また、開口部１１７ｂの数は、必ずしも発光部１２と同じ数である必要はなく、発光部１２の数よりも多くても少なくてもよい。また、反射部材１１７の材料としては、白色のポリカーボネート樹脂に限定されるものではなく、例えば、ポリカーボネート樹脂以外の樹脂材料やアルミニウム等の金属、ガラス、セラミックス等であってもよい。
【００８６】
補助反射部材１１８は、略円筒状の本体部１１８ａと、本体部１１８ａの上端側開口を塞ぐ蓋部１１８ｂと、本体部１１８ａの下端側に延出する係合爪１１８ｃとを備える。本体部１１８ａには、外径が略一定の外周面から構成される反射面１１８ａ１と、外径が上側に向かって拡径している外周面から構成される反射面１１８ａ２とが形成されている。そして、補助反射部材１１８は、係合爪１１８ｃが反射部材１１７の溝部１１７ｄに係合した状態で反射部材１１７に固定される。ここで、反射部材１１７の開口部１１７ｂを通過した光の一部は、補助反射部材１１８の反射面１１８ａ１に入射して斜め上方へ反射される。また、反射部材１１７の開口部１１７ｂを通過した光の他の一部は、補助反射部材１１８の反射面１１８ａ２に入射して側方へ反射される。このように補助反射部材１１８が存在することにより、反射部材１１７の開口部１１７ｂを通過した光を、斜め上方および側方へと配光することができる。これにより、ランプ１００から放射された光の強度分布の斑を少なくすることができる。また、補助反射部材１１８は、白色のポリカーボネート樹脂から形成されている。なお、補助反射部材１１８の材料としては、白色のポリカーボネート樹脂に限定されるものではなく、例えば、ポリカーボネート樹脂以外の樹脂材料やアルミニウム等の金属、ガラス、セラミックス等であってもよい。
【００８７】
図９乃至図１１に示すように、アダプタ１３０は、回路モジュール９６と、発光モジュール１１０および基台１２０との間に介在して、双方を機械的且つ電気的に接続する。
【００８８】
アダプタ１３０の概略構成について、外観斜視図を図１３（ａ）に示し、上面図を図１３（ｂ）に示し、底面図を図１３（ｃ）に示す。
【００８９】
図１３（ａ）乃至（ｃ）に示すように、アダプタ１３０は、実施の形態１に係るアダプタ３０と同様に、アダプタ本体部１３０ａと一対の導電板１３５とから構成される。
【００９０】
アダプタ本体部１３０ａは、ベース部１３１とベース部１３１から離間して配置された天板部１３２と、ベース部１３１と天板部１３２とを互いに接続する支柱１３３からなる。また、アダプタ本体部１３０ａは、更に、導電板１３５を保持するための保持部材１３４を備える。このアダプタ本体部１３０ａは、熱伝導性の高い樹脂材料により形成されている。
【００９１】
ベース部１３１は、有底円筒状に形成されている。ベース部１３１は、中心部を挟んで対向する２箇所に底壁を厚み方向に貫通するベース部スリット１３１ａ，１３１ｂが形成されている。このベース部スリット１３１ａ，１３１ｂは、アダプタ本体部１３０ａにおける回路モジュール９６が取着される部位に設けられた回路被取着部を構成している。このベース部スリット１３１ａ，１３１ｂは、円弧状の幅広部１３１ａ１，１３１ｂ１と、幅広部１３１ａ１，１３１ｂ１に連続し且つ幅広部１３１ａ１，１３１ｂ１に比べて幅が狭い幅狭部１３１ａ２，１３１ｂ２とを有する。そして、幅狭部１３１ａ２，１３１ｂ２には、幅狭部１３１ａ２，１３１ｂ２に配置された後述の出力端子５３の移動を規制するための突起１３１ａ３，１３１ｂ３が形成されている。
【００９２】
天板部１３２は、４箇所に切欠部を有する略円板状の形状を有する。天板部１３２における中心を挟んで対向する２箇所それぞれには、補助反射部材１１８の位置決めを行うためのリブ１３７が突設されている。また、天板部１３２におけるベース部１３１側とは反対側には、基台１２０を保持するための一対の保持部材１３４の一部が突出している。
【００９３】
支柱１３３は、ベース部１３１からベース部１３１の筒軸方向における天板部１３２側に突出している。
【００９４】
保持部材１３４は、鉤本体部１３４ａとアーム部１３４ｂとから構成される。アーム部１３４ｂは、一端部がベース部１３１に配置され他端部が天板部１３２を貫通して天板部１３２におけるベース部１３１側とは反対側の面上に配置されるとともに内部に細長板状の導電板１３５を保持する。鉤本体部１３４ａは、断面鉤状に形成されており、導電板１３５のアダプタ側出力端子１３５ｂが天板部１３２側に突出している。この鉤本体部１３４ａは、実施の形態１に係る保持部材３４の鉤本体部３４ａとは折曲方向が異なっている。実施の形態１に係る保持部材３４は、外側から内側に向かう方向に曲がっていたが、本実施の形態に係る保持部材１３４は内側から外側に向かって曲がっている。そして、天板部１３２におけるベース部１３１側とは反対側の面に基台１２０およびモジュール基板１１１が載置された状態で、導電板１３５のアダプタ側出力端子１３５ｂがモジュール基板１１１上に形成された電極パッド１１１ａを弾性押圧する。これにより、導電板１３５とモジュール基板１１１に形成された電極パッド１１１ａとが電気的に接続される。ここで、鉤本体部１３４ａは、アダプタ本体部１３０ａにおける発光ユニット、即ち、発光モジュール１１０が載置された基台１２０が取着される部位に設けられた発光ユニット取着部を構成する。
【００９５】
導電板１３５は、銅等の導電性を有する材料からなる細長の板状部材の一部を湾曲または屈曲して形成されている。導電板１３５のベース部１３１側の端部にはアダプタ側受電端子１３５ａが形成され、ベース部スリット１３１ａ，１３１ｂに近接した位置に配置されている。ここで、導電板１３５のアダプタ側受電端子１３５ａは、保持部材１３４の一端部からベース部スリット１３１ａ，１３１ｂ側に突出している。導電板１３５の天板部１３２側の端部には、アダプタ側出力端子１３５ｂが形成され、保持部材１３４の鉤本体部１３４ａにおける天板部１３２に対向する面側に配置されている。
【００９６】
図９乃至図１１に示すように、筐体１６０は、円筒状の形状を有する。筐体１６０は、アルミニウム等の金属から形成されている。また、筐体１６０の筒軸方向における上端部１６１には基台１２０とグローブ１７０の開口端部１７１とが収納されている。筐体１６０の内部には、回路モジュール９６およびアダプタ１３０が収納されている。また、筐体１６０の筒軸方向における下端部１６２側開口には、ケース５０の口金取付部５２が挿通されている。この筐体１６０は、アルミニウム等の金属から形成されている。なお、筐体１６０は、熱伝導率の高い樹脂材料等から形成されるものであってもよい。
【００９７】
グローブ１７０は、透光性材料により構成され、筐体１６０の上端部１６１に嵌め込まれて発光モジュール１１０の上方を覆う。
【００９８】
次に、ランプ１００を構成する発光モジュール１１０、反射部材１１７、補助反射部材１１８、基台１２０、アダプタ１３０、回路モジュール９６を接続する方法について図１３乃至図１５を用いて説明する。
【００９９】
図１４（ａ）は、アダプタ１３０および回路モジュール９６が接続された状態を示す外観斜視図であり、図１４（ｂ）は、図１４（ａ）の状態から基台１２０および発光モジュール１１０が取着された状態を示す外観斜視図である。また、図１５は、図１４（ｂ）の状態から反射部材１１７および補助反射部材１１８が取着された状態を示す外観斜視図である。
【０１００】
まず、回路モジュール９６のケース５０から突出する２つの出力端子５３をアダプタ本体部１３０ａのベース部１３１に形成されたベース部スリット１３１ａ，１３１ｂの幅広部１３１ａ１，１３１ｂ１（図１３参照）それぞれに挿入し、ケース５０の上面をアダプタ本体部１３０ａのベース部１３１の下面に当接させる。
【０１０１】
次に、ケース５０をアダプタ本体部１３０ａに対して、アダプタ本体部１３０ａのベース部１３１の筒軸周りに回転させることで、出力端子５３の軸部５３ｂが幅広部１３１ａ１，１３１ｂ１から幅狭部１３１ａ２，１３１ｂ２に移動する。そして、出力端子５３は、幅狭部１３１ａ２，１３１ｂ２における幅広部１３１ａ１，１３１ｂ１側とは反対側の端部に当接するまで移動すると、突起１３１ａ３，１３１ｂ３により幅広部１３１ａ１，１３１ｂ１側への移動が規制された状態となる。
【０１０２】
そして、図１４（ａ）に示すように、ケース５０がアダプタ１３０に固定された状態となる。このとき、出力端子５３の頭部５３ａが導電板１３５のアダプタ側受電端子１３５ａに接触する。
【０１０３】
続いて、保持部材１３４の鉤本体部１３４ａを基台１２０の挿入孔部分１２０ｃ２に挿入した後、基台１２０をアダプタ本体部１３０ａのベース部１３１の筒軸周りに回転させると、図１４（ｂ）に示すように、鉤本体部１３４ａと舌片部分１２０ｃ１および舌片部１１１ｃとが係合し、基台１２０がアダプタ本体部１３０ａに固定される。このとき、アダプタ側出力端子１３５ｂが、舌片部１１１ｃ上に形成された電極パッド１１１ｄに接触している。
【０１０４】
その後、発光モジュール１１０のモジュール基板１１１上に反射部材１１７を載置した状態で、発光モジュール１１０と反射部材１１７を螺子により固定する。
【０１０５】
最後に、補助反射部材１１８の本体部１１８ａにおける蓋部１１８ｂ側とは反対側の端部をアダプタ本体部１３０ａのリブ１３７と基台１２０との間の間隙に嵌入し、補助反射部材１１８の係合爪１１８ｃを反射部材１１７の溝部１１７ｄに係合させる。すると、図１５に示すように、発光モジュール１１０、反射部材１１７、補助反射部材１１８、基台１２０、アダプタ１３０および回路モジュール９６が互いに接続された状態となる。
【０１０６】
以上説明したように、ランプ１００は、出力端子５３とベース部スリット１３１ａ，１３１ｂとを係合させる簡単な動作により回路モジュール９６とアダプタ１３０との機械的接続を行うことができるとともに、当該機械的接続に伴って回路モジュール９６とアダプタ１３０との電気的接続も同時に行うことができるため、配線の引き回しや半田付け等による接続といった煩雑な作業を行うことなく、部品組み付け時の電気的接続作業を容易に行うことができる。これにより、実施の形態１と同様に、ランプ１００の組み立て時における作業効率の向上を図ることができるとともに、組み立て作業の機械化が容易となるという利点もある。
【０１０７】
＜実施の形態３＞
実施の形態１に係るランプ１では、一般に、発光部１２への電力供給路の一部を構成する２本の電源線４４，４５それぞれが口金８０のシェル８１およびアイレット８２に電気的に接続されている。特に、口金８０のシェル８１に電気的に接続される電源線４５は、手作業で口金取付部５２の外周面に引き回し口金取付部５２の周壁と口金８０の内周面との間を通して口金８０の外側に引き出してから半田付けすることにより接続される。
【０１０８】
しかしながら、このように電源線４５を口金取付部５２と口金８０の間を通して口金８０の外側に引き出してから電源線４５を口金８０に半田付けする作業は、手作業でしかできない。
【０１０９】
また、この半田付けを行う部位は、ランプ１をソケットに装着する際に邪魔にならないようにその高さにある程度の精度が求められ、ランプ１の製造歩留まりを低下させる原因となりやすい。
【０１１０】
本実施の形態に係るランプ２では、上記課題を解決し、製造工程における作業性の向上を図ることができる。以下、詳述する。
【０１１１】
まず、本実施の形態に係るランプ２の構造について説明する。
【０１１２】
図１６はランプ２の分解斜視図である。図１７は、ランプ２の要部分解斜視図である。図１８はランプ２の要部断面図である。図１９は、ランプ２の要部分解斜視図である。
【０１１３】
図１６および図１７に示すように、ランプ２は電源ユニット２０４０およびケース２０５０の構造が実施の形態１とは相違する。なお、以下の説明では、実施の形態１と同様の構成については同一の符号を付して適宜説明を省略する。
【０１１４】
図１９に示すように、電源ユニット２０４０の回路基板（基材）２０４１は、延出部２０４１ｂに基板スリット２０４１ｄが形成されている点が実施の形態１とは相違する。回路基板２０４１上には、発光ユニットへの電力供給路の一部（第２部位）を構成する配線パターン（図示せず）が形成されている。
【０１１５】
基板スリット２０４１ｄは、延出部２０４１ｂの延出方向に直交する方向における片端縁から延出部２０４１ｂの内側に向かって延長されている。この基板スリット２０４１ｄの延長方向は、延出部２０４１ｂの延出方向に直交している。そして、図２０（ａ）に示すように、延出部２０４１ｂにおける基板スリット２０４１ｄの先端外周部には、回路基板２０４１上に形成された配線パターンの一部を構成する電極パッド２０４１ｅが設けられている。また、回路基板２０４１には、細長の金属板から形成され且つ回路基板２０４１の厚み方向における両側に回路基板２０４１の法線方向に（つまり、口金取付部２０５２の周壁方向に）延伸する導電板２０４５が固定されている。また、延出部２０４１ｂにおける主部４１ａに連続する側とは反対側の端部には、延出部２０４１ｂの延出方向に直交する方向における略中央部から１本の金属からなる電源線４４が延出している。
【０１１６】
図１９に示すように、導電板２０４５は、細長板状の連結片２０４５ａと、連結片２０４５ａの長手方向における両端部に断面鉤状に屈曲してなる折曲片２０４５ｂと、連結片２０４５ａの長手方向における中央部よりも片端側にずれた位置に配置された断面Ｃ字状に屈曲してなる取付部２０４５ｃとを備える。この導電板２０４５は、取付部２０４５ｃが回路基板２０４１の基板スリット２０４１ｄの外周部を回路基板２０４１の厚み方向で挟持した状態で、基板スリット２０４１ｄの先端部まで挿入することにより、回路基板２０４１に固定される。このとき、導電板２０４５の取付部２０４５ｃが、回路基板２０４１の電極パッド２０４１ｅに接触し電気的に接続される。
【０１１７】
図１６乃至図１８に示すように、ケース２０５０は、有底円筒状に形成された主部５１と、円筒状に形成され且つ外径が主部５１の外径よりも小さく外周面に口金８０が外嵌される口金取付部２０５２とを備える。このケース２０５０は、熱伝導性の高く非導電性の樹脂等から形成されている。ここで、主部５１の筒軸方向における口金取付部２０５２側とは反対側の端部は、アダプタ本体部３０ａのベース部３１に嵌合している。また、主部５１におけるアダプタ３０が取着される側には、電源ユニット２０４０と電気的に接続された２本の出力端子５３が突出している。また、図１９に示すように、ケース２０５０は、第１半ケース２０５０ａと第２半ケース２０５０ｂとに分割することができる。
【０１１８】
口金取付部２０５２は、外周面に雄螺子部５２ａが形成されている。そして、口金取付部２０５２の周壁には、口金取付部２０５２の筒軸方向における主部５１側とは反対側の端部５２ｂから口金取付部２０５２の筒軸方向に沿って主部５１側に延長された細長の切欠部（以下、「スリット」と称す。）２０５２ｃが形成されている。この点が、実施の形態１に係るケース５０と相違する。口金８０の雌螺子部８１ａを口金取付部２０５２の雄螺子部５２ａに螺合することにより口金８０がケース２０５０の口金取付部２０５２に外嵌された状態では、口金８０のシェル８１の内周面における口金取付部２０５２のスリット２０５２ｃに対向する部位が、口金取付部２０５２の周壁と重ならず口金取付部２０５２の内側に露出した露出領域に相当する。
【０１１９】
そして、導電板２０４５の延伸端側の折曲片２０４５ｂが、口金８０のシェル８１の内周面における当該露出領域を口金８０の径方向に弾性押圧する。これにより、導電板２０４５とシェル８１とが電気的に接続される。ここにおいて、導電板２０４５は、回路基板２０４１における、シェル８１の中心軸を含み且つ回路基板２０４１に直交する仮想平面との交線上に固定され、回路基板２０４１の一面側および他面側それぞれからシェル８１の内周面における、上記仮想平面との交線上であってシェル８１の中心軸を挟んで対向する２箇所に向かって延伸している。そして、導電板２０４５は、シェル８１の内周面における上記２箇所に接触している。ここで、導電板２０４５が口金８０のシェル８１の内面に接触する２点を結ぶ線は、シェル８１の中心軸を通る。
【０１２０】
また、導電板２０４５は、ケース２０５０の筒軸方向に沿って配置された回路基板２０４１の法線方向に延伸していることにより、導電板２０４５をシェル８１に接触した状態とするために導電板２０４５に必要とされる長さを最短にすることができる。これにより、導電板２０４５に要する材料を低減することができる。
【０１２１】
このように、ランプ２では、口金８０のシェル８１の内周面のうち、回路基板２０４１の厚み方向で対向する２箇所に導電板２０４５が弾性押圧していることにより、回路基板２０４１に対して導電板２０４５を介して回路基板２０４１の厚み方向に加わる力が相殺されている。これにより、導電板２０４５から回路基板２０４１の厚み方向に加わる力が低減されているので、回路基板２０４１へのストレスを緩和することができ、回路基板２０４１の劣化を抑制できる。
【０１２２】
また、口金８０のシェル８１の内周面のうち、回路基板２０４１の厚み方向で対向する２箇所に導電板２０４５が圧接していることにより、ランプ２の使用時において回路基板２０４１が回路基板の厚み方向に撓むことがあっても、導電板２０４５の長手方向における両端部の少なくとも一方が、口金８０のシェル８１の内周面に接触する。従って、口金８０のシェル８１と導電板２０４５との接触信頼性がよいという利点もある。
【０１２３】
更に、導電部材２０４５が回路基板２０４１が回路基板２０４１の厚み方向への移動を規制するので、回路基板２０４１の回路基板２０４１の厚み方向への揺動が抑制されるという利点もある。
【０１２４】
次に、ランプ２の製造方法について説明する。
【０１２５】
ここでは、ランプ２を構成する発光モジュール１０、基台２０、アダプタ３０、電源ユニット２０４０を収納したケース２０５０、筐体６０、グローブ７０、口金８０および絶縁部材９０を組み合わせて製造する方法について図１８を用いて説明する。ここにおいて、ケース２０５０に発光モジュール１０、基台２０およびアダプタ３０を取着するまでの工程は、実施の形態１と同様なので説明を省略する。
【０１２６】
ケース２０５０に発光モジュール１０、基台２０およびアダプタ３０を取着した後、ケース２０５０の口金取付部２０５２を筐体６０の下端部６２側の開口に挿通し、発光モジュール１０、基台２０、アダプタ３０および電源ユニット２０４０を収納したケース２０５０からなる構造体が筐体６０の内側に配置される。このとき、ケース２０５０の口金取付部２０５２が筐体６０の外側に配置される。
【０１２７】
続いて、筐体６０の外側に配置された口金取付部２０５２に絶縁部材９０を外嵌した後、口金８０の雌螺子部８１ａ（図１８参照）を口金取付部２０５２の雄螺子部２０５２ａに螺合させることにより、口金８０を口金取付部２０５２に外嵌させる。このとき、電源ユニット２０４０から導出した電源線４４が、口金８０の絶縁体部２０８３およびアイレット８２それぞれを貫通孔８３ａ，８２ａの内側に配置される。その後、貫通孔８３ａ，８２ａに半田を流し込むことによって、アイレット８２と電源線４４とが電気的に接続される。
【０１２８】
最後に、グローブ７０の開口端部７１を筐体６０の上端部６１の内側に圧入することにより、グローブを筐体６０に取着するとランプ２が完成する。
【０１２９】
次に、ケース２０５０の製造方法について説明する。
【０１３０】
ここでは、電源ユニット２０４０を収納したケース２０５０を製造する方法について図２０および図２１を用いて説明する。
【０１３１】
図２０（ａ）の矢印Ａ５に示すように、まず、導電板２０４５の取付部２０４５ｃを、回路基板２０４１の延出部２０４１ｂの短手方向から基板スリット２０４１ｄに挿入する。
【０１３２】
次に、図２０（ｂ）の矢印Ａ６に示すように、導電板２０４５の取付部２０４５ｃが回路基板２０４１の基板スリット２０４１ｄの外周部を回路基板２０４１の厚み方向で挟持した状態で、導電板２０４５を基板スリット２０４１ｄの先端部まで摺動させる。このとき、導電板２０４５の取付部２０４５ｃが、回路基板２０４１に形成された電極パッド２０４１ｅに圧接する。これにより、導電板２０４５と電極パッド２０４１ｅとが電気的に接続されることになる。
【０１３３】
続いて、図２０（ｂ）に示すように、ピン４３の一端部が軸部５３ｂの内側に挿入された出力端子５３を第１半ケース２０５０ａの切欠部５０ａ３に載置する。このとき、出力端子５３の軸部５３ｂが切欠部５０ａ３の内側に載置されるとともに、凹部５０ａ２の底壁が出力端子５３の第１板部５３ｃと第２板部５３ｄとの間に嵌入される。また、出力端子５３は、ピン４３の上記一端部とは反対側の他端部が、支柱５０ａ５が突出する方向と同じ方向に延出する状態で配置される。ここにおいて、第１板部５３ｃと第２板部５３ｄとで凹部５０ａ２の底壁を挟持しているので、組み立て作業中において出力端子５３が第１半ケース２０５０ａからの離脱してしまうことを抑制できる。これにより、組み立て作業における作業効率の向上を図ることができる。
【０１３４】
その後、図２０（ｂ）の矢印Ａ７に示すように、出力端子５３のピン４３の上記他端部を回路基板２０４１に形成された貫通孔４１ｆに挿入するとともに、図２０（ｂ）の矢印Ａ８に示すように、回路基板２０４１の主部４１ａの延出部２０４１ｂに連続する側の２つの角部と主部４１ａにおける延出部２０４１ｂ側とは反対側の周縁部とを各支柱５０ａ５の段部５０ａ５１に載置する。このとき、回路基板２０４１の主部４１ａと延出部２０４１ｂとの間に形成された段部４１ｃの一部と主部４１ａにおける延出部２０４１ｂに連続する側とは反対側の端面とが、支柱５０ａ５の側面に当接することにより、回路基板２０４１の移動が規制されている。そして、図２０（ｃ）に示すように、ピン４３の一部が、回路基板２０４１に形成された貫通孔４１ｆから回路基板２０４１における回路素子４２が実装される側とは反対側の面に突出した状態で、ピン４３を回路基板２０４１に半田付けする。このとき、導電板２０４５のうち、回路基板２０４１における回路素子４２が実装される面側に配置された折曲片２０４５ｂが第１半ケース２０５０ａのスリット２０５２ｃの内側に挿入される。
【０１３５】
次に、図２１（ａ）に示すように、第１半ケース２０５０ａにおける支柱５０ａ５が突出する側から第２半ケース２０５０ｂを被せる。このとき、図２１（ａ）の矢印Ａ９に示すように、係合爪５０ａ４の先端部のフック５０ａ４１が、第２半ケース２０５０ｂの周壁に形成された係合孔５０ｂ４に係合した状態で、第１半ケース２０５０ａと第２半ケース２０５０ｂとが組み合わされる。このとき、図２１（ａ）の矢印Ａ１０に示すように、導電板２０４５のうち、回路基板２０４１における回路素子４２が実装される面側とは反対側に配置された折曲片２０４５ｂが第２半ケース２０５０ｂの貫通孔２５２ｃに挿入される。ここで、係合爪５０ａ４の先端部のフック５０ａ４１は、係合爪５０ａ４の突出方向に向かって突出量が漸減するような斜面を有することにより、第１半ケース２０５０ａに第２半ケース２０５０ｂに近づける際、まず、第２半ケース２０５０ｂの内周面とフック５０ａ４１の斜面とが摺接し、係合爪５０ａ４が第２半ケース２０５０ｂの内側に向かって撓んでいき、その後、係合爪５０ａ４の先端部は第２半ケース２０５０ｂの内側に向かって撓んだ状態で係合孔５０ｂ４まで摺動する。そして、係合孔５０ｂ４のところまで移動すると、第２半ケース２０５０ｂの外側に向かって生じる弾性力により係合爪５０ａ４の先端部のフック５０ａ４１が係合孔５０ｂ４に嵌め込まれる。そして、図２１（ｂ）に示すような、電源ユニット２０４０を収納したケース２０５０が完成する。このとき、フック５０ａ４１における係合爪５０ａ４の突出方向において斜面側とは反対側の突出方向とは直交する面と係合孔５０ｂ４の周面とが当接することで、第２半ケース２０５０ｂが第１半ケース２０５０ａから離脱することを規制している。従って、組み立て作業中において第１半ケース２０５０ａが第２半ケース２０５０ｂから離脱することを防止できるので、作業効率の向上を図ることができる。
【０１３６】
結局、実施の形態に係るランプ２は、導電板２０４５が、回路基板２０４１から口金取付部２０５２の筒軸と直交する方向に延伸し且つ延伸端側の折曲片２０４５ｂが口金８０のシェル８１の内周面における露出領域を口金８０の径方向に弾性押圧することにより、導電板２０４５を半田付け等により口金８０に接合することなく、発光部１２への電力供給路と口金８０とを導電板２０４５を介して電気的に接続することができる。従って、ランプ２の製造工程のうち、発光部１２への電力供給路と口金８０とを電気的に接続する工程における手間を省くことができるので、ランプ２の製造工程における作業性を向上させることができる。
【０１３７】
また、回路基板２０４１と口金８０のシェル８１の内周面とが導電板２０４５により電気的に接続され、リード線を用いない構造であることから、回路基板２０４１から口金８０のシェル８１の内周面へのリード線の引き回し作業が不要となるので、その分、作業性を向上させることができる。
【０１３８】
＜実施の形態４＞
まず、本実施の形態に係るランプ３の構造について説明する。
【０１３９】
図２２はランプ３の分解斜視図である。図２３は、ランプ３の一部の断面図である。図２４は、ランプ３の要部分解斜視図である。
【０１４０】
ランプ３は、電源ユニット３２４０、ケース３２５０および口金３２８０の形状が実施の形態３とは相違する。そこで、本実施の形態では、電源ユニット３２４０、ケース３２５０および口金３２８０の構造について説明する。なお、実施の形態３と同様の構成については同一の符号を付して適宜説明を省略する。
【０１４１】
図２３に示すように、電源ユニット３２４０は、回路基板３２４１上にアイレット用金属端子３２８２が有するピン３２４４を挿通するための貫通孔３２４１ｇが形成されている。ここで、図２４に示すように、貫通孔３２４１ｇは、回路基板３２４１の延出部３０４１ｂの主部３０４１ａ側とは反対側の端部における、延出部３０４１ｂの延出方向と直交する方向における略中央部に形成されている。
【０１４２】
また、回路基板３２４１の延出部３２４１ｂには、回路基板３２４１の厚み方向の両側に回路基板３２４１の法線方向に沿って（つまり、口金取付部３２５２の周壁方向に）延伸する導電板２０４５が設けられている。
【０１４３】
図２２に示すように、ケース３２５０は、有底円筒状に形成された主部３２５１と、有底円筒状に形成され且つ外径が主部３２５１の外径よりも小さい口金取付部３２５２とを備える。口金取付部３２５２には、口金取付部３２５２の筒軸方向に沿って細長の貫通孔３２５２ｃが形成されている。この貫通孔３２５２ｃからは、導電板２０４５の折曲片２０４５ｂが口金取付部３２５２の外周面に露出している。
【０１４４】
また、図２４に示すように、ケース３２５０は、第１半ケース３２５０ａと第２半ケース３２５０ｂとに分割することができる。図２５（ｂ）に示すように、第１半ケース３２５０ａおよび第２半ケース３２５０ｂにおける底壁３２５２ａに相当する周壁３２５０ａ２，３２５０ｂ２それぞれには、互いに対向する端面側にアイレット用金属端子３２８２の一部が載置される切欠部３２５０ａ６，３２５０ｂ６が形成されている。
【０１４５】
図２２に示すように、口金３２８０は、シェル３２８１とアイレット用金属端子３２８２とから構成されている。
【０１４６】
図２３に示すように、アイレット用金属端子３２８２は、電源ユニット３２４０と電気的に接続されており、口金取付部３２５２の底壁３２５２ａの略中央部から突出している。
【０１４７】
アイレット用金属端子３２８２は、略円板状の頭部３２８２ａと、頭部３２８２ａの厚み方向における片面側から突出する軸部３２８２ｃと、軸部３２８２ｃの軸方向に直交する方向に延出し且つ頭部３２８２ａから軸部３２８２ｃに沿った方向に間隔を空けて配置された板部３２８２ｂと、軸部３２８２ｃの内側に嵌着されたＬ字棒状のピン３２４４とを備える。ここで、頭部３２８２ａと板部３２８２ｂとの間の間隔は、口金取付部３２５２の底壁３２５２ａの厚みと略同じになっている。アイレット用金属端子３２８２は、その軸部３２８２ｃが第１半ケース３２５０ａの切欠部３２５０ａ６および第２半ケース３２５０ｂの切欠部３２５０ｂ６それぞれに載置される。
【０１４８】
図２２および図２３に示すように、シェル３２８１は、略円筒形状であって外周面が雄螺子部となっている。そして、シェル３２８１の下端側開口３２８１ｂの内径は、ケース３２５０の口金取付部３２５２の外径寸法と略同じ大きさに設定されている。シェル３２８１の内周面には、ケース３２５０の口金取付部３２５２の外周面に設けられた雄螺子部５２ａに螺合可能な雌螺子部３２８１ａが設けられている。そして、シェル３２８１の雌螺子部３２８１ａを口金取付部３２５２の雄螺子部５２ａに螺合することによりシェル３２８１がケース３２５０の口金取付部３２５２に外嵌される。この状態では、シェル３２８１の内周面における口金取付部３２５２の貫通孔３２５２ｃに対向する部位が、口金取付部３２５２の周壁と重ならず口金取付部３２５２の内側に露出した露出領域に相当する。そして、導電板２０４５の延伸端側の折曲片２０４５ｂがシェル３２８１の内周面における当該露出領域をシェル３２８１の径方向に弾性押圧する。これにより、導電板２０４５とシェル３２８１とが電気的に接続される。
【０１４９】
次に、ランプ３の製造方法について説明する。
【０１５０】
ランプ３を構成する発光モジュール１０、基台２０、アダプタ３０、電源ユニット３２４０を収納したケース３２５０、筐体６０、グローブ７０、シェル３２８１および絶縁部材９０を組み合わせて製造する方法は、実施の形態３と同様なので説明を省略する。
【０１５１】
ここでは、電源ユニット３２４０を収納したケース３２５０を製造する方法について図２５を用いて説明する。
【０１５２】
図２５（ａ）に示すように、出力端子５３の軸部５３ｂを第１半ケース３２５０ａの切欠部５０ａ３に載置するとともに、アイレット用金属端子３２８２を第１半ケース３２５０ａの切欠部３２５０ａ６に載置する。このとき、周壁３２５０ａ２がアイレット用金属端子３２８２の頭部３２８２ａと板部３２８２ｂの間に嵌入される。ここで、ピン３２４４の頭部３２８２ａ側の一端部とは反対側の他端部が、支柱５０ａ５が突出する方向と同じ方向に延出する状態で配置される。ここにおいて、頭部３２８２ａと板部３２８２ｂとで底壁３２５０ａ２を挟持しているので、組み立て作業中においてアイレット用金属端子３２８２が第１半ケース３２５０ａからの離脱してしまうことを抑制できる。これにより、組み立て作業における作業効率の向上を図ることができる。
【０１５３】
その後、図２５（ａ）の矢印Ａ２１に示すように、出力端子５３のピン４３を回路基板３２４１に形成された貫通孔４１ｆに挿入するとともに、図２５（ａ）の矢印Ａ２２に示すように、アイレット用金属端子３２８２のピン３２４４を回路基板３２４１に形成された貫通孔３２４１ｇに挿入する。このとき、回路基板３２４１の主部３２４１ａにおける延出部３２４１ｂ側の２つの角部と主部３２４１ａにおける延出部３２４１ｂ側とは反対側の周縁部とが各支柱５０ａ５の段部５０ａ５１に載置される。そして、出力端子５３のピン４３の一部とアイレット用金属端子３２８２のピン３２４４の一部とが、回路基板３２４１に形成された貫通孔４１ｆおよび貫通孔３２４１ｇから回路基板３２４１における回路素子４２が実装される側とは反対側の面に突出した状態で、ピン４３，３２４４を回路基板３２４１に半田付けする。このとき、導電板２０４５のうち、回路基板３２４１における回路素子４２が実装される面側に配置された折曲片２０４５ｂが第１半ケース３２５０ａの貫通孔３２５２ｃに挿入される。
【０１５４】
次に、図２５（ｂ）に示すように、第１半ケース３２５０ａにおける支柱５０ａ５が突出する側から第２半ケース３２５０ｂを被せる。このとき、係合爪５０ａ４の先端部のフック５０ａ４１が、第２半ケース３２５０ｂの係合孔５０ｂ４に係合した状態で第１半ケース３２５０ａと第２半ケース３２５０ｂとが組み合わされる。このとき、導電板２０４５のうち、回路基板３２４１における回路素子４２が実装される面側とは反対側に配置された折曲片２０４５ｂが第２半ケース３２５０ｂの貫通孔３２５２ｃに挿入される。
【０１５５】
本構成によれば、回路基板３２４１とアイレット用金属端子３２８２との接続にリード線を用いない構造である。これにより、回路基板３２４１とアイレット用金属端子３２８２との接続作業における半田付け作業の負担を低減することができる。
【０１５６】
＜実施の形態５＞
実施の形態１に係るランプ１では、一般に、有底円筒状の口金８０が取り付けられる口金取付部５２を有するケース５０を備えており、発光部１２への電力供給路の一部を構成する２本の電源線４４，４５それぞれが口金８０のシェル８１およびアイレット８２に電気的に接続されている。ここで、アイレット８２には、貫通孔８２ａが貫設されており、組み立て時において、手作業で電源線４４の先端部をアイレット８２の貫通孔８２ａに挿入した状態で電源線４４と当該貫通孔８２ａとの間の隙間に半田を流し込むことにより、電源線４４をアイレット８２に接続するのが一般的である。
【０１５７】
しかしながら、このように電源線４４の先端部をアイレット８２の貫通孔８２ａに挿入した状態で電源線４４と当該貫通孔８２ａとの間の隙間に半田を流し込む作業は、手作業でしかできず手間がかかっていた。
【０１５８】
本実施の形態に係るランプ４では、上記課題を解決し、製造工程における作業性の向上を図ることができる。以下、詳述する。
【０１５９】
以下、本実施の形態に係るランプ４の構造について説明する。
【０１６０】
図２６はランプ４の分解斜視図である。図２７（ａ）は、ランプ４の斜視図であり、図２７（ｂ）は、ランプ４の一部の断面図である。図２８および図２９は、ランプ３の各製造工程における分解斜視図である。
【０１６１】
図２６に示すように、ランプ４は、発光モジュール（図示せず）が載置された基台３２０と、基台３２０における発光モジュールが載置される側とは反対側に配置された電源ユニット３４０と、基台３２０および電源ユニット３４０を収納するケース３５０と、ケース３５０の筒軸方向における上端側に取着されるグローブ３７０と、ケース３５０の筒軸方向における下端部に取着されるシェル３８１と、端子受部３４４と、導電板３４５と、アイレット用金属端子（アイレット）３８２とを備える。ここで、シェル３８１とアイレット用金属端子とから口金３８０を構成している。
【０１６２】
基台３２０は、円板状に形成され且つ厚み方向における一面側の略中央部に発光モジュールが載置される。また、図２８（ｂ）に示すように、基台３２０の上記一面側とは反対側の他面側には、断面略Ｃ字状に形成された２つの接続端子３２２ａ，３２２ｂが突出している。図２８（ｂ）の拡大図に示すように、接続端子３２２ａは、保持部３２２ａ１と、保持部３２２ａ１の内側に配設された導電板３２２ａ２とから構成されている。そして、接続端子３２２ａの突出方向において、導電板３２２ａ２の長さは保持部３２２ａ１の長さよりも短くなっており、組み立て作業中における導電板３２２ａ２への他部材等の接触を防止している。また、接続端子３２２ｂも同様の構造を有している。
【０１６３】
図２６および図２７（ｂ）に示すように、回路基板３４１は、平面視で長方形の長手方向における一端側の２つの角部を斜めに切り欠いた形状を有する主部３４１ａと、主部３４１ａの上記一端側に主部３４１ａの長手方向に延出する延出部３４１ｂとから構成される。また、主部３４１ａにおける延出部３４１ｂ側とは反対側の端部には、短手方向における両側に２つの電極パッド３４１ｆが形成されている。また、延出部３４１ｂにおける主部３４１ａに連続する側とは反対側の端部には、略中央部に端子受部３４４が配設されている。ここで、電極パッド３４１ｆは、回路基板３４１上に形成された配線パターンの一部に相当する。
【０１６４】
図２８（ａ）に示すように、端子受部３４４は、連結片３４４ａと、２つの脚片３４４ｂと、２つの折曲片３４４ｃとを有する。連結片３４４ａは、細長の板状に形成され且つ回路基板３４１と平行に配置されている。各脚片３４４ｂは、細長の板状に形成され且つ連結片３４４ａの長手方向における両端部それぞれから回路基板３４１に向かって延出している。各折曲片３４４ｃは、各脚片３４４ｂにおける回路基板３４１に沿った一方向側の端部それぞれに連続し且つ当該一方向側とは反対方向側に折曲されるとともに互いに近づく方向に凸となるような弧状に屈曲されてなる。ここで、２つの折曲片３４４ｃの間には、回路基板３４１に直交する方向に延びる隙間が形成されている。
【０１６５】
また、延出部３４１ｂには、延出部３４１ｂの延出方向とは直交する方向に延長された基板スリット３４１ｄが形成されている。そして、延出部３４１ｂにおける基板スリット３４１ｄの先端部における主部３４１ａ側には、切欠部３４１ｄ１が形成されている。この切欠部３４１ｄ１の外周部の一部には、電極パッド３４１ｅが設けられている。この電極パッド３４１ｆは、回路基板３４１上に形成された配線パターンの一部に相当する。また、この基板スリット３４１ｄの外周部における電極パッド３４１ｅが形成された部位には導電板３４５が固定されている。
【０１６６】
図２６および図２８（ａ）に示すように、導電板３４５は、連結片３４５ａ１と、２つの脚片３４５ａ２と、折曲片３４５ｂと、取付部３４５ｃとを備える。連結片３４５ａ１は、細長の板状に形成され且つ回路基板３４１と直交する方向に延伸するとともに、長手方向における一端部が取付部３４５ｃに接続されている。脚片３４５ａ２は、細長の板状に形成され且つ一端部が当該連結片３４５ａ１の他端部に連続し且つ回路基板３４１に沿って連結片３４５ａ１の両側に延出する。２つの脚片３４５ａ２は、長手方向の長さが同じであり、連結片３４５ａ１と２つの脚片３４５ａ２とから回路基板３４１から突出したＴ字状の突出片が構成される。折曲片３４５ｂは、各脚片３４５ａ２の他端部それぞれから延出部３４１ｂの延出方向に向かって延伸し当該延出方向とは反対方向に向かって円弧を描くように断面Ｃ字状に折曲されてなる。取付部３４５ｃは、連結片３４５ａ１の上記一端部に接続し断面Ｃ字状に屈曲している。
【０１６７】
図２８（ａ）に示すように、導電板３４５の取付部３４５ｃを基板スリット３４１ｄ先端部の切欠部３４１ｄ１に挿入すると、導電板３４５は、取付部３４５ｃが回路基板３４１における電極パッド３４１ｅが形成された部位を厚み方向の両側から挟持した状態で回路基板３４１に固定される。このとき、導電板３４５の取付部３４５ｃが、回路基板３４１の電極パッド３４１ｅに接触し電気的に接続される。
【０１６８】
図２６および図２７（ｂ）に示すように、ケース３５０は、円筒状に形成された主部３５１と、有底円筒状に形成され且つ外径が主部３５１の外径よりも小さい口金取付部３５２とを備える。口金取付部３５２には、口金取付部３５２の筒軸方向に沿って２つの細長の貫通孔３５２ｃが形成されている。この２つの貫通孔３５２ｃに、導電板３４５の折曲片３４５ｂが配置される。また、口金取付部３５２の底壁３５２ｅ１には、凹部３５２ｄ１を有する突出部３５２ｅ２が設けられている。凹部３５２ｄ１における略中央部には、貫通孔３５２ｄ２が設けられている。そして、図２７（ａ）および（ｂ）に示すように、突出部３５２ｅ２の凹部３５２ｄ１にアイレット用金属端子３８２が嵌合している。また、図２８（ｃ）に示すように、主部３５１の内周面における筒軸方向に直交する方向で対向する部位には、筒軸方向に沿って延長され且つ筒軸を臨む方向が開口した一対のレール３５１ａが設けられている。レール３５１ａは、回路基板３４１をケース３５０内部に収納する際に回路基板３４１をケース３５０内における固定位置に案内する役割を担う。
【０１６９】
図２６に示すように、アイレット用金属端子３８２は、略円板状の頭部３８２ａと、頭部３８２ａの厚み方向における片面側から突出する円筒状の軸部３８２ｂと、軸部３８２ｂの内部に挿入された棒状のピン３８２ｃとを備える。アイレット用金属端子３８２は、軸部３８２ｂが貫通孔３５２ｄ２の内側に配置される形で凹部３５２ｄ１に嵌合されている。また、図２７（ｂ）に示すように、アイレット用金属端子３８２のピン３８２ｃは、端子受部３４４の２つの折曲片３４４ｃの間の隙間に配置される。
【０１７０】
ここで、端子受部３４４の２つの折曲片３４４ｃの間の隙間の幅は、ピン３８２ｃが挿入されない状態では、ピン３８２ｃの外径に比べて小さい。そして、２つの折曲片３４４ｃの間の隙間にピン３８２ｃが挿入されると、２つの折曲片３４４ｃの先端部が互いに離れる方向に撓む。このとき、２つの折曲片３４４ｃがピン３８２ｃの側壁に回路基板３４１の短手方向における両側から弾性押圧することにより、ピン３８２ｃを挟持する。これにより、アイレット用金属端子３８２と端子受部３４４とが電気的に接続されることになる。
【０１７１】
このように、端子受部３４４は、回路基板３４１における電極パッド３４１ｅが形成された部位に固定され且つ電気的に接続され、ピン３８２ｃを折曲片３４４ｃで挟持することによりピン３８２ｃを押圧し且つ電気的に接続される導電部材に相当する。
【０１７２】
図２６および図２７（ｂ）に示すように、シェル３８１は、略円筒形状であって外周面が雄螺子部となっている。そして、シェル３８１の下端側開口３８１ｂの内径は、ケース３５０の口金取付部３５２の先端部の外径寸法と略同じ大きさに設定されている。また、シェル３８１の内周面には、ケース３５０の口金取付部３５２の外周面に設けられた雄螺子部３５２ａに螺合可能な雌螺子部３８１ａが設けられている。シェル３８１が口金取付部３５２に外嵌された状態では、シェル３８１の内周面における口金取付部３５２の貫通孔３５２ｃに対向する部位が、口金取付部３５２の周壁と重ならず口金取付部３５２の内側に露出した露出領域に相当する。そして、導電板３４５の折曲片３４５ｂがシェル３８１の内周面における当該露出領域をシェル３８１の径方向に弾性押圧する。これにより、導電板３４５とシェル３８１とが電気的に接続される。この導電板３４５は、回路基板３４１における電極パッド３４１ｅが形成された部位に固定され且つ電気的に接続され、回路基板３４１から延伸されシェル３８１の内周面をシェル３８１の径方向に押圧する導電部材に相当する。ここにおいて、導電板３４５は、シェル３８１の内周面における、シェル３８１の中心軸を含み且つ回路基板３４１に平行な仮想平面との交線上であってシェル３８１の中心軸を挟んで対向する２箇所に向かって延伸している。そして、導電板３４５は、シェル３８１の内周面における上記２箇所に接触している。これにより、導電板３４５の連結片３４５ａ１に対して、回路基板３４５に沿った方向に加わる力が相殺され、導電板３４５の回路基板３４５に沿った方向への揺動が抑制されるので、回路基板３４１における取付部３４５ｃが取り付けされた部分に加わるストレスを緩和することができる。
【０１７３】
また、回路基板３４１は短手方向における両端部をレール３５１ａにより支持されているが、回路基板３４１の短手方向における両端縁とレール３５１ａの底部との間には組み立て作業性を考慮して隙間が設けられている。
【０１７４】
これに対して、シェル３８１の内周面のうち、シェル３８１の筒軸を挟んで対向する２箇所に導電板３４５が弾性押圧していることにより、ランプ１の使用時において回路基板３４１が厚み方向に直交する方向へ移動することがあっても、導電板３４５の２つの折曲片３４５ｂの少なくとも一方が、シェル３８１の内周面に接触する。従って、シェル３８１と導電板３４５との接触信頼性がよいという利点もある。
【０１７５】
次に、ランプ４の製造方法について説明する。
【０１７６】
ランプ４を構成する発光モジュール（図示せず）が取着された基台３２０、電源ユニット３４０、ケース３５０、グローブ３７０、シェル３８１およびアイレット用金属端子３８２を組み合わせて製造する方法について図２８および図２９を用いて説明する。
【０１７７】
図２８（ａ）の矢印Ａ３１に示すように、まず、導電板３４５の取付部３４５ｃを、回路基板３４１の延出部３４１ｂの短手方向の片側から基板スリット３４１ｄに挿入し、基板スリット３４１ｄの先端部の切欠部３４１ｄ１に固定する。このとき、導電板３４５の取付部３４５ｃが回路基板３４１における電極パッド３４１ｅが形成された部位を回路基板３４１の厚み方向から挟持した状態となる。これにより、導電板３４５と電極パッド３４１ｅとが電気的に接続されることになる。
【０１７８】
次に、図２８（ｂ）の矢印Ａ３２に示すように、まず、回路基板３４１の主部３４１ａにおける延出部３４１ｂに連続する側とは反対側から、回路基板３４１の主部３４１ａの端部に、２つの接続端子３２２ａ，３２２ｂを係合させることで基台３２０を取着する。このとき、２つの接続端子３２２ａ，３２２ｂそれぞれは、回路基板３４１に形成された２つの電極パッド３４１ｆそれぞれを弾性押圧する。
【０１７９】
続いて、図２８（ｃ）に示すように、電源ユニット３４０をケース３５０に収納する。ここで、図２８（ｃ）の矢印Ａ３３に示すように、電源ユニット３４０は、回路基板３４１の短手方向における両端部を、ケース３５０の主部３５１の内周面に設けられたレール３５１ａに嵌合させた状態で、回路基板３４１をレール３５１ａに沿って摺動させることにより、ケース３５０の内部に収納する。そして、回路基板３４１は、回路基板３４１の端面３４１ｃがケース３５０の内周面に当接するまでレール３５１ａに沿って移動される。
【０１８０】
その後、図２９（ａ）の矢印Ａ３４に示すように、アイレット用金属端子３８２を口金取付部３５２の底壁３５２ｅ１の突出部３５２ｅ２に形成された凹部３５２ｄ１に嵌合させる。このとき、アイレット用金属端子３８２のピン３８２ｃが回路基板３４１の端子受部３４４の２つの折曲片３４４ｃの間の隙間に挿入される。そして、ピン３８２ｃを押し込むと２つの折曲片３４４ｃがピン３８２ｃに弾性押圧する。こうして、ピン３８２ｃが２つの折曲片３４４ｃにより挟持される。つまり、口金取付部３５２の筒軸方向に沿って回路基板３４１とアイレット用金属端子３８２とが互いに近づく方向に移動されると、ピン３８２ｃが端子受部３４４に差し込まれて、アイレット用金属端子３８２と端子受部３４４とが電気的に接続される。
【０１８１】
最後に、図２９（ｂ）に示すように、ケース３５０の口金取付部３５２にシェル３８１を外嵌させることにより、ランプ４が完成する。
【０１８２】
結局、実施の形態に係るランプ４は、アイレット用金属端子３８２が口金取付部３５２の筒軸方向に沿って回路基板３４１に向かって移動されると、アイレット用金属端子３８２が、回路基板３４１に設けられた端子受部３４４に差し込まれる。このとき、端子受部３４４の２つの折曲片３４４ｃがアイレット用金属端子３８２のピン３８２ｃに弾性押圧し、アイレット用金属端子３８２と端子受部３４４とが電気的に接続される。これにより、例えば、回路基板およびアイレットそれぞれにリード線の両端部を半田付けする等の作業を行うことなく、回路基板３４１に形成された配線パターンと口金のアイレットとを電気的に接続することができる。従って、ランプ４の製造工程のうち、回路基板３４１に形成された配線パターンとアイレットとを電気的に接続する工程における手間を省くことができるので、ランプの製造工程における作業性を向上させることができる。
【０１８３】
＜実施の形態６＞
本実施の形態に係るランプ５の構造について説明する。
【０１８４】
図３０はランプ５の分解斜視図である。図３１は、ランプ５の要部分解斜視図である。図３２（ａ）はランプ５の斜視図である。図３２（ｂ）はランプ５の要部断面図である。図３３乃至図３５は、回路モジュールの分解斜視図である。
【０１８５】
図３０乃至図３２に示すように、ランプ５は、電源ユニット５０４０、ケース５０５０および口金５０８０の形状が実施の形態３とは相違する。そこで、本実施の形態では、電源ユニット５０４０、ケース５０５０および口金５０８０の構造について説明する。なお、実施の形態３と同様の構成については同一の符号を付して適宜説明を省略する。
【０１８６】
図３３（ａ）に示すように、回路基板５０４１の主部５０４１ａにおける延出部５０４１ｂ側とは反対側の端部には、２つの電極パッド５０４１ｇが並列して形成されている。そして、図３２（ｂ）に示すように、端子受部５０４３が、主部５０４１ａにおける電極パッド５０４１ｇが形成された部位には、回路基板５０４１の厚み方向の両側から挟持している。
【０１８７】
また、図３３（ａ）に示すように、延出部５０４１ｂにおける主部５０４１ａ側とは反対側の端部には、延出部５０４１ｂの延出方向に直交する方向における略中央部に電極パッド５０４１ｅが形成されている。また、延出部５０４１ｂには、延出部５０４１ｂの延出方向に直交する方向に延長された基板スリット５０４１ｄが形成されている。そして、延出部５０４１ｂにおける基板スリット５０４１ｄの先端外周部には電極パッド５０４１ｆが形成されている。ここで、電極パッド５０４１ｅ，５０４１ｆ，５０４１ｇは、回路基板５０４１上に形成された上記配線パターンの一部に相当する。また、回路基板５０４１には、細長の金属板から形成され且つ回路基板５０４１の厚み方向における両側に突出する導電板２０４５が設けられている。
【０１８８】
導電板２０４５の取付部２０４５ｃを基板スリット５０４１ｄ先端部まで挿入すると、導電板２０４５は、取付部２０４５ｃが回路基板５０４１における電極パッド５０４１ｆが形成された部位を厚み方向の両側から挟持した状態で回路基板５０４１に固定される。このとき、導電板２０４５の取付部２０４５ｃが、回路基板５０４１の電極パッド５０４１ｆに接触し電気的に接続される。
【０１８９】
図３０に示すように、ケース５０５０は、円筒状に形成された本体部５０５０ａと、本体部５０５０ａの筒軸方向における上端側開口を覆うように本体部５０５０ａに取着される第１蓋部５０５０ｂと、本体部５０５０ａの筒軸方向における下端側開口を覆うように本体部５０ｂに取着される第２蓋部５０５０ｃとから構成される。ケース５０５０の第１蓋部５０５０ｂ側は、アダプタ本体部３０ａのベース部３１に嵌合する。ケース５０５０は、熱伝導性の高く非導電性の樹脂等から形成されている。
【０１９０】
図３１に示すように、本体部５０５０ａは、円筒状に形成された主部５０５１と、円筒状に形成され且つ外径が主部５０５１の外径よりも小さい口金取付部５０５２とを備える。主部５０５１と口金取付部５０５２との間には、段差部５０５０ａ３が形成されている。口金取付部５０５２の外周面には、雄螺子部５０５２ａが形成されている。口金取付部５０５２には、口金取付部５０５２の筒軸方向に沿って延長された細長の貫通孔５０５２ｃと、口金取付部５０５２の筒軸方向において貫通孔５０５２ｃに対して主部５０５１側とは反対側に設けられ第２蓋部５０５０ｃを係合するための係合孔５０５２ｄとが設けられている。
【０１９１】
図３３（ｂ）に示すように、主部５０５１の内周面における主部５０５１の筒軸を挟んで対向する２箇所それぞれには、主部５０５１の筒軸方向に沿ってレール５０５０ａ１が形成されている。
【０１９２】
図３１に示すように、第１蓋部５０５０ｂからは、アダプタ３０側に電源ユニット５０４０と電気的に接続された２本の出力端子５０５３が突出している。図３５（ａ）に示すように、出力端子５０５３は、円板状の頭部５０５３ａと、頭部５０５３ａの厚み方向における片面側から突出し且つ先端部に螺子部が形成された円柱状の軸部５０５３ｂと、軸部５０５３ｂの中心軸方向に直交する方向に延出し且つ頭部５０５３ａから軸部５０５３ｂに沿って離間して配置された板部５０５３ｃとを備える。一方、第１蓋部５０５０ｂにおける出力端子５０５３が突出する側の面における中央部を挟んだ２箇所には、外形寸法が出力端子５０５３の板部５０５３ｃの外形寸法と略同じに形成された凹部５０５０ｂ１が形成されている。この凹部５０５０ｂ１の深さは、出力端子５０５３の板部５０５３ｃの厚みと略同じである。更に、各凹部５０５０ｂ１の略中央部には、出力端子５０５３の軸部５０５３ｂが挿通可能な貫通孔５０５０ｂ２が貫設されている。そして、出力端子５０５３は、軸部５０５３ｂが貫通孔５０５０ｂ２に挿通されるとともに板部５０５３ｃが凹部５０５０ｂ１に嵌入された状態で第１蓋部５０５０ｂに取着されている。ここにおいて、図３５（ｂ）に示すように、凹部５０５０ｂ１の深さは、出力端子５０５３の板部５０５３ｃの厚みと略同じであることにより、第１蓋部５０５０ｂにおける出力端子５０５３が突出する側の面とアダプタ本体部３０ａのベース部３１の内面とが面接触している。これにより、アダプタ３０からケース５０５０への伝熱性が高められている。
【０１９３】
また、図３５（ａ）および（ｂ）に示すように、各出力端子５０５３の軸部５０５３ｂの先端部には、端子受部５０４３が取着される。ここで、端子受部５０４３は、２つの脚片５０４３ａと、連結片５０４３ｂと、折曲片５０４３ｃとから構成される。脚片５０４３ａは、細長の矩形板状に形成され且つ互いに対向する面が略平行となるように配置されている。連結変５０４３ｂは、細長の矩形板状に形成され且つ略中央部に螺子孔５０４３ｄが設けられるとともに脚片５０４３ａの長手方向における一端部同士を連結する。折曲片５０４３ｃは、各脚片５０４３ａの連結片５０４３ｂに連続する側とは反対側の他端部それぞれに連続し且つ各脚片５０４３ａの一端部側に折曲されるとともに互いに近づく方向に凸となるような弧状に形成されてなる。そして、端子受部５０４３は、出力端子５０５３の軸部５０５３ｂの先端部の螺子部が螺子孔５０４３ｄに螺合した状態で出力端子の軸部５０５３ｂの先端部に取着される。また、２つの折曲片５０４３ｃにおける互いに最も近づく部位間の距離は、回路基板５０４１の厚みに比べて若干小さくなっている。そして、回路基板５０４１が本体部５０５０ａの内側に配置された状態で、第１蓋部５０５０ｂを本体部５０５０ａに取着すると、２つの折曲片５０４３ｃの間に回路基板５０４１が挿入され各折曲片５０４３ｃが互いに遠ざかる方向に撓み、回路基板５０４１が２つの折曲片５０４３ｃで挟持された状態となる。これにより、折曲片５０４３ｃが電極パッド５０４１ｇに圧接し、端子受部５０４３と電極パッド５０４１ｇとが電気的に接続される。一方、出力端子５０５３の頭部５０５３ａには、保持部材３４から突出した導電板３５の一端部３５ａが弾性押圧する。これにより、電源ユニット５０４０の電極パッド５０４１ｇとアダプタ３０の導電板３５とが端子受部５０４３および出力端子５０５３を介して電気的に接続される。
【０１９４】
図３２（ａ）に示すように、第２蓋部５０５０ｃの略中央部には、アイレット用導電板５０８２の一部が突出している。図３２（ｂ）に示すように、第２蓋部５０５０ｃの周部における中心を挟んで対向する部位には、第２蓋部５０５０ｃにおけるアイレット用導電板５０８２が突出する側とは反対側に第２蓋部５０５０ｃの厚み方向へ係合爪５０５０ｃ１が延伸している。そして、係合爪５０５０ｃ１が本体部５０５０ａの係合孔５０５２ｄに係合された状態で、本体部５０５０ａに第２蓋部５０５０ｃが取着される。
【０１９５】
口金５０８０は、第２蓋部５０５０ｃから外側に突出したアイレット用導電板５０８２の一部とシェル５０８１とから構成されている。
【０１９６】
図３２（ｂ）に示すように、アイレット用導電板５０８２は、２つの脚片５０８２ａと、連結片５０８２ｂと、２つの折曲片５０８２ｃとを有する。２つの脚片５０８２ａは、細長の矩形板状に形成され且つ互いに対向する面が略平行となるように配置されている。連結片５０８２ｂは、脚片５０８２ａの長手方向における一端部同士を連結し且つ脚片５０８２ａとは反対側に凸となるように弧状に屈曲されてなる。折曲片５０８２ｃは、各脚片５０８２ａの連結片５０８２ｂに連続する側とは反対側の他端部それぞれに連続し且つ各脚片５０８２ａの一端部側に折曲されるとともに互いに近づく方向に凸となるような弧状に形成されてなる。ここで、連結片５０８２ｂが口金５０８０のアイレットに相当し、２つの脚片５０８２ａと２つの折曲片５０８２ｃとが導電部材に相当する。アイレット用導電板５０８２は、脚片５０８２ａそれぞれの一部が第２蓋部５０５０ｃに埋設されており、連結片５０８２ｂが第２蓋部５０５０ｃの外側に露出する。また、２つの折曲片５０８２ｃにおける互いに最も近づく部位間の距離は、回路基板５０４１の厚みに比べて若干小さくなっている。そして、図３３（ｃ）に示すように、回路基板５０４１が本体部５０５０ａの内側に配置された状態で、第２蓋部５０５０ｃを本体部５０５０ａに取着すると、２つの折曲片５０８２ｃの間に回路基板５０４１が挿入され各折曲片５０８２ｃが互いに遠ざかる方向に撓み、回路基板５０４１が２つの折曲片５０８２ｃで挟持された状態となる。これにより、折曲片５０８２ｃが電極パッド５０４１ｅに圧接し、アイレット用導電板５０８２と電極パッド５０４１ｅとが電気的に接続される。
【０１９７】
図３０に示すように、シェル５０８１は、口金の一部を構成するものであって、略円筒形状であって外周面が雄螺子部となっている。シェル５０８１の内周面には、ケース５０５０の本体部５０５０ａにおける口金取付部５０５２の外周面に設けられた雄螺子部５０５２ａに螺合可能な雌螺子部５０８１ａが設けられている。また、図３２（ｂ）に示すように、シェル５０８１が口金取付部５０５２に取り付けられた状態では、導電板２０４５が、口金取付部５０５２の貫通孔５０５２ｃを通る形で、回路基板５０４１とシェル５０８１の内周面との間に配置され、導電板２０４５の折曲片５０４５ｂが、シェル５０８１の内周面をシェル５０８１の径方向に弾性押圧する。これにより、導電板２０４５とシェル５０８１とが電気的に接続される。
【０１９８】
次に、ケース５０５０の製造方法について説明する。
【０１９９】
ここでは、電源ユニット５０４０を収納したケース５０５０を製造する方法について図３３乃至図３５を用いて説明する。
【０２００】
図３３（ａ）の矢印Ａ５５に示すように、まず、導電板２０４５の取付部２０４５ｃを、回路基板５０４１の延出部５０４１ｂの短手方向から基板スリット５０４１ｄに挿入し、導電板２０４５の取付部２０４５ｃが回路基板５０４１の基板スリット５０４１ｄの外周部を回路基板５０４１の厚み方向で挟持した状態で、導電板２０４５を基板スリット５０４１ｄの先端部まで摺動させる。すると、導電板２０４５の取付部２０４５ｃが、回路基板５０４１おける電極パッド５０４１ｆが形成された部位に固定される。このとき、導電板２０４５と電極パッド５０４１ｆとが電気的に接続される。
【０２０１】
次に、図３３（ｂ）の矢印Ａ５６に示すように、回路基板５０４１の主部５０４１ａの延出部５０４１ｂの延出方向に直交する方向における両端部を本体部５０５０ａの主部５０５１の内周面に設けられたレール５０５０ａ１に嵌合させた後、回路基板５０４１をレール５０５０ａ１に沿って摺動させる。そして、回路基板５０４１の段部５０４１ｃが、本体部５０５０ａにおける段差部５０５０ａ３に対応する部位に当接するまで、回路基板５０４１を移動させる。ここにおいて、導電板２０４５が本体部５０５０ａの主部５０５１の内側に配置された状態から、導電板２０４５が口金取付部５０５２の貫通孔５０５２ｃから口金取付部５０５２の外周面に露出した状態まで、回路基板５０４１が移動する際、図３４（ａ）の矢印で示したように、連結片２０４５ａが取付部２０４５ｃと連続する部位を基点として、回路基板５０４１に向かう方向に撓む。このとき、導電板２０４５の連結片２０４５ａには、元の状態に戻る方向に付勢されている。そして、導電板２０４５の先端部が貫通孔５０５２ｃの周部に位置するまで回路基板５０４１が移動すると、図３４（ｂ）の矢印で示したように、導電板２０４５は、元の状態に戻る方向への付勢力により元の状態、即ち、連結片２０４５ａが回路基板５０４１に直交した状態になる。
【０２０２】
続いて、図３３（ｃ）の矢印Ａ５７に示すように、第２蓋部５０５０ｃの係合爪５０５０ｃ１を口金取付部５０５２の係合孔５０５２ｄに係合させることで、第２蓋部５０５０ｃを本体部５０５０ａに取着する。このとき、図３５（ａ）に示すように、回路基板５０４１がアイレット用導電板５０８２の２つの折曲片５０８２ｃの間に挿入されると、回路基板５０４１における電極パッド５０４ｅが形成された部位が、２つの折曲片５０８２ｃにより挟持された状態となる。つまり、口金取付部５０５２の筒軸方向に沿って回路基板５０４１とアイレット用導電板５０８２とが互いに近づく方向に移動されると、アイレット用導電板５０８２が、回路基板５０４１における電極パッド５０４１ｅが形成されて部位に差し込まれる。そして、アイレット用導電板５０８２と回路基板５０４１上に形成された配線パターンとが電気的に接続される。
【０２０３】
その後、図３５（ａ）の矢印Ａ５８に示すように、出力端子５０５３の軸部５０５３ｂを第１蓋部５０５０ｂの貫通孔５０５０ｂ２に挿通するとともに出力端子５０５３の板部５０５３ｃを第１蓋部５０５０ｂの凹部５０５０ｂ１に嵌入した状態で、軸部５０５３ｂの先端部の螺子部に端子受部５０４３の螺子孔５０４３ｄを螺合させることにより、軸部５０５３ｂの先端部に端子受部５０４３を取着する。そして、出力端子５０５３および端子受部５０４３が取着された第１蓋部５０５０ｂを本体部５０５０ａの開口に被装し、出力端子５０５３を本体部５０５０ａの筒軸方向に沿って口金取付部５０５２側へ押圧することにより、回路基板５０４１が端子受部５０４３の２つの折曲片５０４３ｃの間に挿入される。そして、図３５（ｂ）に示すように、出力端子５０５３を更に押圧すると、回路基板５０４１における電極パッド５０４１ｇが形成された部位が２つの折曲片５０４３ｃにより挟持された状態となる。こうして、電源ユニット５０４０を収納したケース５０５０が完成する。
【０２０４】
結局、実施の形態に係るランプ５は、アイレット用導電板５０８２が口金取付部５０５２の筒軸方向に沿って回路基板５０４１に向かって移動されると、アイレット用導電板５０８２が、回路基板５０４１ｂにおける電極パッド５０４１ｅが形成されて部位に差し込まれる。このとき、アイレット用導電板５０８２は、回路基板５０４１における電極パッド５０４１ｅが形成された部位を回路基板５０４１の厚み方向における両側から挟持した状態で、回路基板５０４１における電極パッド５０４１ｅが形成された部位に接続される。これにより、例えば、回路基板およびアイレットそれぞれにリード線の両端部を半田付けする等の作業を行うことなく、回路基板５０４１に形成された配線パターンと口金のアイレットとを電気的に接続することができる。従って、ランプ５の製造工程のうち、回路基板５０４１に形成された配線パターンとアイレットとを電気的に接続する工程における手間を省くことができるので、ランプの製造工程における作業性を向上させることができる。
【０２０５】
＜変形例＞
以上、各実施の形態に基づいて説明したが、本発明は上記各実施の形態に限られず、以下のような変形例を実施することができる。なお、説明の重複を避けるため、以下、各変形例の説明においては、各実施の形態と同様の構成については、同一の符号を付して適宜説明を省略する。
【０２０６】
（１）実施の形態１においては、回路モジュール９６の出力端子（アダプタ取着部）５３がいわゆるダルマピンからなり、出力端子５３がアダプタ本体部３０ａのベース部スリット３１ａ，３１ｂに係合して回路モジュール９６とアダプタ３０とを機械的に接続する例について説明したが、回路モジュールとアダプタ３０とを機械的に接続するための接続構造は、これに限定されるものではない。
【０２０７】
例えば、上記接続構造が、いわゆる引掛けシーリング構造からなるものであってもよい。
【０２０８】
本変形例に係る回路モジュール６２９６およびアダプタ６２３０を示す分解斜視図を図３６（ａ）に示し、本変形例に係るアダプタ６２３０を別の角度から見た外観斜視図を図３６（ｂ）に示す。なお、実施の形態１と同様の構成については同一の符号を付して適宜説明を省略する。
【０２０９】
アダプタ本体部６２３０ａのベース部６２３１は、平面視円形の中空箱状に形成されている。ベース部６２３１は、中心部を挟んで対向する２箇所に底壁を厚み方向に貫通する細長のベース部スリット６２３１ａ，６２３１ｂが形成されている。ベース部スリット６２３１ａ，６２３１ｂは、扇状の幅広部６２３１ａ１，６２３１ｂ１と、幅広部６２３１ａ１，６２３１ｂ１に連続し且つ幅広部６２３１ａ１，６２３１ｂ１に比べて幅が狭い幅狭部６２３１ａ２，６２３１ｂ２とを有する。
【０２１０】
導電板６２３５のアダプタ側受電端子（図示せず）は、ベース部６２３１内部に収納されており、ベース部６２３１の底壁６２３１ｃにおけるベース部スリット６２３１ａ，６２３１ｂに近接した位置に設けられている。
【０２１１】
回路モジュール６２９６は、蓋部６２５０ａｂに突設された一対の出力端子６２５３を有するケース６２５０と、ケース６２５０の口金取付部６２５２に外嵌された口金８０とを備える。
【０２１２】
出力端子６２５３は、ケース６２５０の筒軸方向における上方に突出する一対のアーム部６２５３ｂと、各アーム部６２５３ｂの先端部から互いに近づく方向に延出した矩形板状の鉤状部６２５３ａとからなる。アーム部６２５３ｂの延出方向において、鉤状部６２５３ａの下面とケース６２５０の蓋部６２５０ａｂの上面との間の間隔は、アダプタ６２３０ａのベース部６２３１の底壁６２３１ｃの厚みと略同じになっている。また、鉤状部６２５３ａの延出方向の寸法は、ベース部６２３１に形成されたベース部スリット６２３１ａ，６２３１ｂの幅広部６２３１ａ１，６２３１ｂ１の幅に比べて小さく幅狭部６２３１ａ２，６２３１ｂ２の幅に比べて大きくなっている。
【０２１３】
そして、ケース６２５０の出力端子６２５３をベース部スリット６２３１ａ，６２３１ｂの幅広部６２３１ａ１，６２３１ｂ１に挿入した後、ケース６２５０ベース部６２３１の筒軸周りに回転させて出力端子６２５３をベース部スリット６２３１ａ，６２３１ｂの幅狭部６２３１ａ２，６２３１ｂ２に移動させる。すると、出力端子６２５３の鉤状部６２５３ａとケース６２５０の蓋部６２５０ａｂとで、ベース部６２３１の底壁６２３１ｃにおける、ベース部スリット６２３１ａ，６２３１ｂの幅狭部６２３１ａ２，６２３１ｂ２の外周部が挟持される。こうして、ケース６２５０がアダプタ６２３０に固定されている。
【０２１４】
また、本変形例に係る上記接続構造は、例えば、ストレートピン状の出力端子（アダプタ取着部）と、アダプタの内部に設けられ且つ出力端子の先端部を挟持する挟持構造とから構成されるものであってもよい。
【０２１５】
本変形例に係る回路モジュール６３９６およびアダプタ６３３０を示す分解斜視図を図３７（ａ）に示し、本変形例に係るアダプタ６３３０を別の角度から見た外観斜視図を図３７（ｂ）に示す。なお、実施の形態１と同様の構成については同一の符号を付して適宜説明を省略する。
【０２１６】
アダプタ本体部６３３０ａのベース部６３３１は、平面視円形の中空箱状に形成されている。ベース部６３３１における中心部を挟んで対向する２箇所には、底壁を厚み方向に貫通する平面視円形の貫通孔６３３１ａ，６３３１ｂが形成されている。
【０２１７】
導電板６３３５のアダプタ側受電端子（図示せず）は、ベース部６３３１内部に収納されており、板バネからなる挟持構造となっている。アダプタ側受電端子は、アダプタ本体部６３３０ａ内部における貫通孔６３３１ａ，６３３１ｂに対応する位置に設けられている。
【０２１８】
回路モジュール６３９６は、蓋部６３５０ａｂに突設された一対の出力端子６３５３を有するケース６３５０と、ケース６３５０の口金取付部６３５２に外嵌された口金８０とを備える。出力端子６３５３は、ストレートピン状に形成されている。
【０２１９】
そして、出力端子６３５３をベース部６３３１に設けられた貫通孔６３３１ａ，６３３１ｂそれぞれに挿通すると、ベース部６３３１の内部に配設されたアダプタ側受電端子（図示せず）が出力端子６３５３の先端部を挟持する。これにより、アダプタ６３３０と回路モジュール３５０との機械的接続が行われるとともに、電気的接続も行われる。
【０２２０】
なお、本変形例では、アダプタ側受電端子が出力端子６３５３を挟持する挟持構造を有する例について説明したが、これに限定されるものではなく、例えば、出力端子６３５３をベース部６３３１内部で挟持する部材をアダプタ側受電端子とは別に設けてもよい。
【０２２１】
また、本変形例に係る上記接続構造は、例えば、いわゆる家庭用の電源コンセントの様に、回路モジュールに設けられた出力端子を一対の栓刃状とし、アダプタ側受電端子を栓刃状の出力端子を受ける栓刃受部構造としてもよい。
【０２２２】
本変形例に係る回路モジュール６４９６およびアダプタ６４３０を示す分解斜視図を図３８（ａ）に示し、本変形例に係るアダプタ６４３０を別の角度から見た外観斜視図を図３８（ｂ）に示す。なお、実施の形態１と同様の構成については同一の符号を付して適宜説明を省略する。
【０２２３】
アダプタ本体部６４３０ａのベース部６４３１は、平面視円形の中空箱状に形成されている。ベース部６４３１における中心部を挟んで対向する２箇所には、底壁を厚み方向に貫通する細長矩形状の貫通孔６４３１ａ，６４３１ｂが形成されている。
【０２２４】
導電板６４３５のアダプタ側受電端子（図示せず）は、ベース部６３３１内部に収納されており、栓刃状の出力端子６４５３の先端部を挟持する栓刃受部構造となっている。アダプタ側受電端子は、アダプタ本体部６４３０ａ内部における貫通孔６４３１ａ，６４３１ｂに対応する位置に設けられている。
【０２２５】
回路モジュール６４９６に設けられた出力端子６４５３は、一対の栓刃状に形成されている。
【０２２６】
そして、出力端子６４５３をベース部６４３１に設けられた貫通孔６４３１ａ，６４３１ｂそれぞれに挿通すると、ベース部６３３１の内部に配設されたアダプタ側受電端子が出力端子６３５３の先端部を挟持する。これにより、アダプタ６３３０と回路モジュール３５０との機械的接続が行われるとともに、電気的接続も行われる。
【０２２７】
（２）各実施の形態では、出力端子が回路モジュールとアダプタとの間の機械的接続および電気接続の両方の役割を担う構造を採用していたが、これに限られず、機械的接続と電気的接続を別々の部材が担う接続構造を採用してもよい。
【０２２８】
本変形例に係る回路モジュール６５９６およびアダプタ６５３０を示す分解斜視図を図３９（ａ）を示し、本変形例に係るアダプタ６５３０を別の角度から見た外観斜視図を図３９（ｂ）に示す。なお、実施の形態１と同様の構成については同一の符号を付して適宜説明を省略する。
【０２２９】
アダプタ本体部６５３０ａのベース部６５３１は、有底円筒状に形成されている。ベース部６５３１の底壁６５３１ｂにおける天板部３２側とは反対側の面には、導電板６５３５の一部からなるアダプタ側受電端子６５３６が２つ並設されている。各アダプタ側受電端子６５３５は、ドーム状の隆起部６５３６ａを有する。
【０２３０】
また、ベース部６５３１の周壁におけるベース部６５３１の筒軸を挟んで対向する２箇所それぞれには、天板部３２側とは反対側に延出する係合爪（回路被取着部）６５３１ａが設けられている。ここで、一対の係合爪６５３１は、一対の細長のアーム部６５３１ａ１と、各アーム部６５３１ａ１の先端部から互いに近づく方向に突出したフック部６５３１ａ２とから構成される。
【０２３１】
回路モジュール６５９６のケース６５５０は、電源ユニット４０が収納された主部６５５１と、口金８０が外嵌された口金取付部６５５２とを有する。ケース６５５０の蓋部６５５０ａｂには、板バネ状に形成され且つ電源ユニット４０と電気的に接続された一対の板バネ状の出力端子（アダプタ取着部）６５５３が配設されている。ケース６５５０の主部６５５１の周壁の上端部には、係合孔（アダプタ取着部）６５５１ａが設けらている。そして、係合孔６５５１ａと係合爪６５３１ａのフック部６５３１ａ２とが係合することにより、回路モジュール６５５０とアダプタ６５３０とが機械的に接続される。同時に出力端子６５５３が、アダプタ側受電端子６５３６の隆起部６５３６ａに接触することによりアダプタ側受電端子６５３６と電気的に接続される。
【０２３２】
本構成によれば、係合孔（アダプタ取着部）６５５１ａとフック部（回路被取着部）６５３１ａ２とを係合させるという簡単な作業で回路モジュール６５９６とアダプタ６５３０との機械的および電気的接続を行うことができる。
【０２３３】
なお、図３９に示す構成において、ケース６５５０側に係合爪を設けるとともに、アダプタ本体部６５３０ａのベース部６５３１側に係合孔を設けた構成としてもよい。
【０２３４】
また、本変形例に係る上記接続構造は、例えば、回路モジュールに設けられた雄螺子部と、アダプタ側に設けられた雌螺子部とを螺合させることにより接続するものであってもよい。
【０２３５】
本変形例に係る回路モジュール６６９６およびアダプタ６６３０を示す分解斜視図を図４０（ａ）を示し、本変形例に係る回路モジュール６６９６を別の角度から見た外観斜視図を図４０（ｂ）に示す。なお、図３９に示す構成と同様の構成については同一の符号を付して適宜説明を省略する。
【０２３６】
アダプタ本体部６６３０ａのベース部６６３１は、有底円筒状に形成されている。ベース部６６３１の底壁６６３１ｂにおける天板部３２側とは反対側の面には、アダプタ側受電端子６５３６が２つ並設されている。また、ベース部６６３１の側壁の内面には、螺旋状のネジ山からなる雌螺子部６６３１ａが設けられている。
【０２３７】
回路モジュール６６９６のケース６６５０は、電源ユニット４０が収納された主部６６５１と、口金８０が外嵌された口金取付部６６５２とを有する。また、ケース６６５０の蓋部６６５１ａｂには、一対の板バネ状の出力端子６５５３が配設されている。更に、ケース６６５０の主部６５５１の上端部には、螺旋状のネジ山からなり且つアダプタ本体部６６３０ａに設けられた雌螺子部６６３１ａに螺合可能な雄螺子部６６５１ａが設けらている。そして、回路モジュール６６９６の雄螺子部６６５１ａをアダプタ本体部６６３０ａに設けられた雌螺子部６６３１ａに螺合させることにより、回路モジュール６６５０とアダプタ６６３０とが機械的に接続される。同時に、出力端子６５５３とアダプタ側受電端子６５３６の隆起部６５３６ａとが接触して、出力端子６５５３とアダプタ側受電端子６５３６とが電気的に接続される。
【０２３８】
また、本変形例に係る上記接続構造は、例えば、回路モジュールに設けられた係合凸部と、アダプタ側に設けられた係合凹部とを係合させることにより接続するものであってもよい。
【０２３９】
本変形例に係る回路モジュール６７９６およびアダプタ６７３０を示す分解斜視図を図４１（ａ）を示し、本変形例に係る回路モジュール６７９６を別の角度から見た外観斜視図を図４１（ｂ）に示す。なお、図３９に示す構成と同様の構成については同一の符号を付して適宜説明を省略する。
【０２４０】
アダプタ本体部６７３０ａのベース部６７３１は、有底円筒状に形成されている。ベース部６７３１の底壁６７３１ｂにおける天板部３２側とは反対側の面には、アダプタ側受電端子６５３６が２つ並設されている。また、ベース部６７３１の側壁には、下端縁から上方に向かう垂直スリット部分６７３１ａ１と垂直スリット部分６７３１ａ１ｄの上端部に連接された水平スリット部分６７３１ａ２とからなる係合凹部６７３１ａが設けられている。
【０２４１】
回路モジュール６７９６のケース６７５０は、電源ユニット４０が収納された主部６７５１と、口金８０が外嵌された口金取付部６７５２とを有する。また、ケース６７５０の蓋部６７５１ａｂには、一対の板バネ状の出力端子６５５３が配設されている。更に、ケース６７５０の主部６７５１の上端部には、平面視矩形状であり且つケース６７５０の筒軸方向に沿った長さが水平スリット部分６７３１ａ２の幅よりも若干小さく、上記筒軸周りに沿った方向の長さが垂直スリット部分６７３１ａ１の幅よりも若干小さくなるように形成された係合凸部６７５１ａが設けられている。そして、回路モジュール６７９６の係合凸部６７５１ａを、垂直スリット部分６７３１ａ１内に下端側から挿入して垂直スリット部分６７３１ａ１の上端部分に当接させた後、ランプ軸Ｊ４周りにアダプタ６７３０を回転させる。すると、係合凸部６７５１ａが水平スリット部分６７３１ａ２を通じて水平スリット部分６７３１ａ２における垂直スリット部分６７３１ａ１との接続部分側とは反対側の端縁に当接する。このようにして、回路モジュール６７９６の係合凸部６７５１ａとベース部６７３１の側壁に設けられた係合凹部６７３１ａとが係合することにより、アダプタ６７３０が回路モジュール６７９６に取着される。
【０２４２】
（３）各実施の形態では、ランプ軸と発光モジュールの主光出射方向とが平行である例について説明したが、これに限定されるものではない。例えば、ランプ軸と発光モジュールの主光出射方向とが交差しているものであってもよい。
【０２４３】
本変形例に係るランプ６８００の概略構成を示す断面図を図４２に示す。なお、実施の形態１と同様の構成については同一の符号を付して適宜説明を省略する。
【０２４４】
ランプ６８００では、ランプ軸Ｊ５と発光モジュール１０の主光主出射方向Ｂとが交差している。ここにおいて、アダプタ本体部６８３０ａは、ベース部６８３１に対して天板部６８３２が傾斜した状態で支柱６８３３によって支持されている。これにより、発光モジュール１０が載置された基台６８２０は、ランプ軸Ｊ５に対して傾斜した姿勢で保持される。これにより、発光モジュール１０の主光出射方向Ｂが、ランプ軸Ｊ５と交差する。
【０２４５】
また、ランプ６８００では、発光モジュール１０の主光出射方向Ｂがランプ軸Ｊ５と交差していることによって、筐体６８６０およびグローブ６８７０の形状が、実施の形態１に係る筐体６０およびグローブ７０の形状と相違している。
【０２４６】
本変形例に係る回路モジュール６８９６およびアダプタ６８３０を示す分解斜視図を図４３（ａ）に示し、本変形例に係るアダプタ６８３０を別の角度から見た外観斜視図を図４３（ｂ）に示す。なお、実施の形態１と同様の構成については同一の符号を付して適宜説明を省略する。
【０２４７】
アダプタ本体部６８３０ａでは、天板部６８３２が、ベース部６８３１の底壁６８３１ｂに対して傾斜した状態で、支柱６８３３によってベース部６８３１に接続されている。ここで、ベース部６８３１は、有底円筒状に形成され、天板部６８３２は、板状に形成されている。また、保持部材６８３４のアーム部６８３４ｂの先端部は、鉤本体部６８３４ａにおける天板部６８３２との対向面が天板部６８３２の主面に略平行となるように屈曲している。ベース部６８３１の底壁６８３１ｂにおける天板部６８３２側とは反対側の面には、共に金属の板バネから成る第１アダプタ側受電端子６８３６ａ１と第２アダプタ側受電端子６８３６ａ２とで構成されるアダプタ側受電端子６８３６ａが設けられている。第１アダプタ側受電端子６８３６ａ１は、ベース部６８３１の底壁６８３１ｂの中心部でありランプ軸Ｊ５と交わる位置に設けられている。第２アダプタ側受電端子６８３６ａ２は、第１アダプタ側受電端子６８３６ａ１の側方に設けられている。また、ベース部６８３１の周壁におけるベース部６８３１の筒軸を挟んで対向する２箇所それぞれには、天板部６８３２側とは反対側に延出する係合爪（回路被取着部）６８３１ａが設けられている。ここで、一対の係合爪６８３１は、一対の細長のアーム部６８３１ａ１と、各アーム部６８３１ａ１の先端部から互いに近づく方向に突出したフック部６８３１ａ２とから構成される。また、ベース部６８３１の底壁６８３１ｂには長尺の溝６８３６ｂが周部に沿って設けられている。
【０２４８】
回路モジュール６８９６のケース６８５０は、電源ユニット４０が収納された主部６８５１と、口金８０が外嵌された口金取付部６８５２とを有する。また、ケース６８５０の蓋部６８５１ａｂには、出力端子６８５３が設けられている。この出力端子６８５３は、第１出力端子６８５３ａと第２出力端子６８５３ｂとからなる。第１出力端子６８５３ａは、蓋部６８５１ａｂの中心部であり且つランプ軸Ｊ５と交わる位置に設けられた略円盤状の金属板からなる。第２出力端子６８５３ｂは、蓋部６８５１ａｂにおける第１出力端子６８５３ａの外周部に設けられた三日月状の形状を有する金属板からなる。
【０２４９】
また、ケース６８５０の上端部には、長孔（アダプタ取着部）６８５１ａが貫設されている。また、ケース６８５０の蓋部６８５１ａｂにおけるランプ軸Ｊ５に対して第２出力端子６８５３ｂとは反対側には、係合凸部６８５１ｂが設けられている。
【０２５０】
この長孔６８５１ａとアダプタ本体部６８３０ａに設けられた係合爪６８３１ａ（フック部６８３１ａ２）とが係合するとともに、係合凸部６８５１ｂが溝６８３６ｂに嵌合した状態で、回路モジュール６８９６にアダプタ６８３０が取着される。そして、回路モジュール６８９６にアダプタ６８３０が取着された状態では、長孔６８５１ａ内を係合爪６８３１ａのフック部６８３１ａ２がケース６８５０の周方向に移動可能であり、溝６８３６ｂ内を係合凸部６８５１ｂが長手方向に沿って移動可能である。これにより、アダプタ６８３０は、回路モジュール６８９６に保持された状態を維持しつつランプ軸Ｊ５周りに回転可能となっている。また、アダプタ６８３０に回路モジュール６８９６を取着する際、係合凸部６８５１ｂが溝６８３６ｂに係合する向きにのみ取着可能となっている。これにより、アダプタ６８３０を回路モジュール６８９６に取着した状態では、必ず第２アダプタ側受電端子６８３６ａ２と第２出力端子６８５３ｂとが接触する。
【０２５１】
本構成によれば、回路モジュール６８９６に対してアダプタ６８３０をランプ軸Ｊ５を中心に回転させても、第１アダプタ側受電端子６８３６ａ１と第１出力端子６８５３ａとの接触および第２出力端子６８５３ｂと第２アダプタ側受電端子６８３６ａ２との接触状態が維持される。これにより、回路モジュール６８９６に対してアダプタ６８３０と共に発光モジュール１０をランプ軸Ｊ５周りに回転させることができ、発光モジュール１０の主光出射方向を変えることができる。
【０２５２】
なお、本変形例では、ケース６８５０の蓋部６８５１ａｂに係合凸部６８５１ｂが設けられた例について説明したが、これに限定されるものではなく、係合凸部６８５１ｂが設けられた箇所に出力端子を配置した構成であってもよい。
【０２５３】
本変形例に係るランプ６８００が装着された照明装置６８９０の概略構成を示す断面図を図４４に示す。
【０２５４】
照明装置６８９０は、天井Ｃの開口Ｈを利用して天井Ｃに埋設されている。ランプ６８００は、この照明装置６８９０に装着されている。
【０２５５】
照明装置６８９０は、いわゆるダウンライト用であり、碗状の器具本体６８９１と、ランプ６８００を装着するためのソケット６８９２と、ソケット６８９２を器具本体６８９１に対して所定角度で傾斜させて器具本体６８９１に連結する連結部材６８９３と、商用電源と接続される電源接続部６８９４とを有する。
【０２５６】
ランプ６８００が照明器具６８９０に装着された状態において、ランプ６８００の発光モジュール１０の主光出射方向Ｂが所望の方向（例えば、器具本体６８９１の椀軸Ｘ）からずれている場合、アダプタ６８３０を回路モジュール６８９６に対して回転させることにより、発光モジュール１０の主光出射方向Ｂと軸Ｘとが一致するように調節することができる。
【０２５７】
（４）実施の形態１では、回路モジュール９６の出力端子５３がケース５０における口金８０側とは反対側に設けられている例について説明したが、出力端子５３を設ける位置はこれに限定されるものではない。
【０２５８】
本変形例に係る回路モジュール６９９６の概略構成について、外観斜視図を図４５（ａ）に示し、断面図を図４５（ｂ）に示す。
【０２５９】
回路モジュール６９９６のケース６９５０は、口金８０が取着されている口金取付部６９５２と、出力端子５３が設けられている主部６９５１とが別部材で構成されている。口金取付部６９５２の上端部には、内側に突出する凸部６９５２ａが設けられ、主部６９５１の下端部には、周方向に延長された溝部６９５１ａが設けられている。そして、凸部６９５２ａと溝部６９５１ａとが係合した状態で、口金取付部６９５２を主部６９５１に対してランプ軸Ｊ６周りに回転可能となっている。
【０２６０】
ここで、電源ユニット４０の回路基板４１は、その周縁部が主部６９５１の内壁に設けられた溝部６９５１ｂに嵌め込まれた状態でケース６９５０に固定されている。また、電源ユニット４０と口金８０とは、電源線４４，４５を介して電気的に接続されており、電源ユニット４０と出力端子５３とは、配線６９４４，６９４５を介して電気的に接続されている。ここにおいて、電源線４４，４５は、主部６９５１を口金取付部６９５２に対して回転させても切断されないように十分な長さに設定することが好ましい。
【０２６１】
なお、ケース６９５０における出力端子５３を設ける位置は、図４５に示したものに限定されるものではない。また、出力端子５３の突出方向は、ランプ軸Ｊ６と直交する方向に限定されるものではない。
【０２６２】
（５）実施の形態３では、ケース２０５０が第１半ケース２０５０ａと第２半ケース２０５０ｂとに分割可能である例について説明したが、これに限定されるものではない。
【０２６３】
本変形例に係るケース７４５０の一部破断した斜視図を図４６（ａ）に示す。また、本変形例に係るケースの製造方法を説明するための図を図４７に示す。
【０２６４】
ケース７４５０は、有底円筒状の本体部７４５０ａと、円板状の蓋部７４５０ｂとから構成され、内部に電源ユニット７４４０が収納されている。以下、電源ユニット７４４０およびケース７４５０の構造について説明する。
【０２６５】
電源ユニット７４４０は、実施の形態３と略同様の構成であり、回路基板７４４１上に出力端子７４５３が有するピン７４５３ｄが接続される第１端子受部７４４３と、アイレット用金属端子（アイレット）７４８２が有するピン７４８２ｃが接続される第２端子受部（導電部材）７４４４とを備える点が相違する。
【０２６６】
図４６（ａ）に示すように、回路基板７４４１は、矩形板状の主部７４４１ａと、矩形板状であり且つ主部７４４１ａの一辺から延出する延出部７４４１ｂとから構成される。図４８（ａ）に示すように、延出部７４４１ｂの延出方向と直交する方向において、主部７４４１ａの長さが延出部７４４１ｂの長さよりも長くなっており、主部７４４１ａと延出部７４４１ｂとの間に２つの段部７４４１ｃが形成されている。
【０２６７】
図４６（ａ）に示すように、第１端子受部７４４３は、略直方体状に形成され、主部７４４１ａにおける延出部７４４１ｂに連続する側とは反対側の端部に２つ配設されている。この第１端子受部７４４３は、回路基板７４４１が本体部７４５０ａに固定された状態で蓋部７４５０ｂに対向する面に、出力端子７４５３のピン７４５３ｄを固定するための螺子孔（図示せず）が形成されている。また、第２端子受部７４４４は、２つの脚片７４４４ａと各脚片７４４４ａの基端部同士を連結する連結片７４４４ｂとからなる略Ｃ字状の形状を有する。そして、連結片７４４４ｂが回路基板７４４１の延出部７４４１ｂに固定され、２つの脚片７４４４ａが回路基板７４４１における回路素子４２が実装される面側に突出している。
【０２６８】
ケース７４５０は、本体部７４５０ａと蓋部７４５０ｂとを備える。本体部７４５０ａは、円筒状に形成された主部７４５１と、有底円筒状に形成され且つ外径が主部７４５１の外径よりも小さい口金取付部７４５２とから構成される。蓋部７４５０ｂは、本体部７４５０ａの開口を閉塞する。ここで、蓋部７４５０ｂにおける中心を挟んだ２箇所の部位それぞれには、出力端子７４５３を第１端子受部７４４３に接続するための貫通孔７４５０ｂ１が貫設されている。また、本体部７４５０ａの周壁における主部７４５１と口金取付部７４５２との間には、段差部７４５０ａ３が形成されており、主部７４５１の内周面における主部７４５１の筒軸を挟んで対向する２箇所それぞれには、主部７４５１の筒軸方向に沿ってレール７４５０ａ１が形成されている。口金取付部７４５２の底壁７４５２ａの略中央部には、アイレット用金属端子７４８２を第２端子受部７４４４に接続するための貫通孔７４５２ｂが貫設されている。この貫通孔７４５２ｂの内径は、後述のアイレット用金属端子７４８２の軸部７４８２ｂの外径と略同じ大きさになっている。
【０２６９】
出力端子７４５３は、略円板状の頭部７４５３ａと、頭部７４５３ａの厚み方向における片面側に配置された円筒状の第１軸部７４５３ｂ１と、第１軸部７４５３ｂ１の筒軸方向における頭部７４５３ａ側とは反対側で連続する板部７４５３ｃと、第１軸部７４５３ｂ１の内側に配置され板部７４５３ｃの第１軸部７４５３ｂ１側とは反対側から突出する第２軸部７４５３ｂ２と、一端部が第２軸部７４５３ｂ２の内部に挿入され他端部に螺子部が形成されたピン７４５３ｄとを備える。ここで、頭部７４５３ａ、第２軸部７４５３ｂ２およびピン７４５３ｄは、第１軸部７４５３ｂ１および板部７４５３ｃに対して、筒軸周りに連動して回転させることができる。なお、ピン７４５３ｄは、かしめにより第２軸部７４５３ｂ２内部に固定されていてもよい。
【０２７０】
一方、アイレット用金属端子７４８２は、略円板状の頭部７４８２ａと、頭部７４８２ａの厚み方向における片面側から突出する筒状の軸部７４８２ｂと、一端部が軸部７４８２ｂの内部に挿入されたピン７４８２ｃとを備える。ここで、アイレット用金属端子７４８２の軸部７４８２ｂを口金取付部７４５２の底壁７４５２ａに貫設された貫通孔７４５２ｂに挿通させると、アイレット用金属端子７４８２のピン７４８２ｃの他端部が、第２端子受部７４４４の２つの脚片７４４４ａの間に挿入される。ここで、２つの脚片７４４４ａの間隔は、ピン７４８２ｃの外径に比べて若干小さく、２つの脚片７４４４ａがピン７４８２ｃの側面を押圧する。
【０２７１】
口金取付部７４５２には、口金取付部７４５２の筒軸方向に沿って細長の貫通孔７４５２ｃが形成されている。この貫通孔７４５２ｃからは、導電板２０４５が口金取付部７４５２の外周面に露出している。また、口金取付部７４５２の周壁には、口金取付部７４５２の筒軸方向において貫通孔７４５２ｃよりも底壁７４５２ａ側にも貫通孔７４５２ｄが形成されている。これにより、図４７（ａ−１）および（ａ−２）に示すように、アイレット用金属端子７４８２のピン７４８２ｃを２つの脚片７４４４ａの先端部に載置した状態で、貫通孔７４５２ｄからドライバ等の工具を挿入して、２つの脚片７４４４ａの間に位置するピン７４８２ｃを、連結片７４８２ｂ側に押し込むことができる。すると、図４７（ａ−２）の矢印に示したように、２つの脚片７４４４ａが、互い遠ざかる方向に撓むとともに一部がピン７４８２ｃの側面に弾性押圧する。こうして、アイレット用金属端子７４８２のピン７４８２ｃが、第２端子受部７４４４の２つの脚片７４４４ａにより挟持され、第２端子受部７４４４に堅固に固定される。これにより、ランプの組み立て作業中におけるアイレット用金属端子７４８２のケース７４５０からの脱落を抑制でき、組み立て作業効率の向上を図ることができる。
【０２７２】
次に、図４６（ａ）に示すような本変形例に係る、電源ユニット７４４０を収納したケース７４５０を製造する方法について図４８および図４９を用いて説明する。
【０２７３】
図４８（ａ）の矢印Ａ４１に示すように、まず、回路基板７４４１の主部７４４１ａの延出部７４４１ｂの延出方向に直交する両端部を本体部７４５０ａの主部７４５１の内周面に設けられたレール７４５０ａ１に嵌合させた後、回路基板７４４１をレール７４５０ａ１に沿って摺動させる。そして、回路基板７４４１の段部７４４１ｃが、本体部７４５０ａの段差部７４５０ａ３に対応する部位に当接するまで、回路基板７４４１を移動させる。ここにおいて、図４９（ａ）の矢印で示したように、導電板２０４５が本体部７４５０ａの主部７４５１の内側に配置された状態から、導電板２０４５が口金取付部７４５２の貫通孔７４５２ｃから口金取付部７４５２の外周面に露出した状態まで、回路基板７４４１が移動する際、連結片２０４５ａが取付部２０４５ｃと連続する部位を基点として、回路基板７４４１に向かう方向に撓む。このとき、導電板２０４５の連結片２０４５ａには、元の状態に戻る方向に付勢されている。そして、導電板２０４５の先端部が貫通孔７４５２ｃの周部に位置するまで回路基板７４４１が移動すると、図４９（ｂ）の矢印で示したように、導電板２０４５は、元の状態に戻る方向への付勢力により元の状態、即ち、連結片２０４５ａが回路基板７４４１に直交した状態になる。
【０２７４】
次に、図４８（ｂ）の矢印Ａ４２に示すように、本体部７４５０ａの筒軸方向における口金取付部７４５２側とは反対側の端部に蓋部７４５０ｂの周部を当接させるとともに、図４８（ｂ）の矢印Ａ４３に示すように、出力端子７４５３の軸部７４５３ｂを蓋部７４５０ｂに設けられた貫通孔７４５０ｂ１に挿通し、更に、ピン７４５３ｄの先端部を第１端子受部７４４３の螺子孔に挿入する。また、図４８（ｂ）の矢印Ａ４４に示すように、アイレット用金属端子７４８２の軸部７４８２ｂを口金取付部７４５２の底壁７４５２ａに設けられた貫通孔７４５２ｂに挿通し、更に、ピン７４８２ｃを第２端子受部７４４４に挿入する。
【０２７５】
そして、図４８（ｃ）の矢印で示したように、出力端子７４５３の頭部７４５３ａを第２軸部７４５３ｂ２の筒軸周りに回転させると、それに連動してピン７４５３ｄも回転し、ピン７４５３ｄの先端部の螺子部が第１端子受部７４４３の螺子孔に螺合する。すると、図４６（ａ）に示すような、電源ユニット７４４０を収納したケース７４５０が完成する。ここで、蓋部７４５０ｂは、出力端子７４５３の頭部７５４３ａにより端子受部７４４３側に押圧された状態で主部７４５１に固定されている。なお、蓋部７４５０ｂは、主部７４５１に取付爪等の係合構造により固定されるものであってもよい。
【０２７６】
（６）前述（５）で説明した変形例では、第１端子受部７４４３が、螺子孔を有する構成であり、第２端子受部７４４４が、２つの脚片７４４４ａおよび連結片７４４４ｂを備える構成である例について説明したが、これに限定されるものではない。
【０２７７】
例えば、図４６（ｂ）に示すような、第２端子受部８４４４が、螺子孔８４４４ａを備える構成としてもよい。或いは、図４６（ｃ）に示すような、第１端子受部８４４３が、２つの脚片８４４３ａおよび連結片８４４３ｂを備える構成としてもよい。
【０２７８】
（７）前述（５）で説明した変形例では、第１端子受部７４４３が螺子孔を有する例について説明したが、これに限定されるものではなく、例えば、第１端子受部７４４３が、図４７（ａ−１）および（ａ−２）に示す構造、つまり、第２端子受部７４４４と同様の構造を有するものであってもよい。
【０２７９】
（８）前述（５）で説明した変形例では、第１端子受部７４４３が、螺子孔を有する構成であり、第２端子受部７４４４が、２つの脚片７４４４ａおよび連結片７４４４ｂを備える構成である例について説明したが、これに限定されるものではない。
【０２８０】
例えば、図４７（ｂ−１）に示すような、第２端子受部９４４４が、外形が略直方体状であり内部に形成された空隙に回路基板７４４１の厚み方向で対向する２つの金属板９４４４ｂを有し、空隙から外部に連通する連通孔９４４４ａが設けられたものであってもよい。この第２端子受部９４４４は、外部から連通孔９４４４ａを通じて空隙に出力端子７４８２のピン７４８２ｃが挿入されると（図４７（ｂ−１）の矢印参照）、２つの金属板９４４４ｂがピン７４８２ｃの側面に回路基板７４４１の厚み方向から弾性押圧して（図４７（ｂ−２）の矢印参照）ピン７４８２ｃを挟持する。
【０２８１】
（９）実施の形態３では、導電板２０４５が、口金取付部２０５２のスリット２０５２ｃから口金取付部２０５２の外周面に露出する例について説明したが、これに限定されるものではない。例えば、図５０に示すように、口金取付部７５５２の筒軸方向の長さを短縮した構成であり、口金取付部７５５２の開口端部７５５２ｂから回路基板２０４１が延出しており、回路基板２０４１における口金取付部７５５２の開口端部７５５２ｂから延出した部位に導電板７５４５が配置されたものであってもよい。ここにおいて、導電板７５４５は、取付部７５４５ｃが回路基板２０４１における口金取付部７５５２の内側に位置する基板スリット２０４１ｄから回路基板２０４１の両面に沿って延び、回路基板２０４１における口金取付部７５５２の外側に位置する部位で、回路基板２０４１の厚み方向の両側に回路基板２０４１の法線方向に延伸する連結片７５４５ａに連続している。そして、連結片７５４５ａの長手方向における両端部には、回路基板２０４１の延出部２０４１ｂの延出方向に向かって屈曲した折曲片７５４５ｂが連続している。また、口金８０がケース７５５０の口金取付部７５５２に外嵌された状態では、口金取付部７５５２の筒軸方向の長さが短縮されていることにより、シェル８１におけるアイレット８２側の端部に口金取付部７５５２の周壁と重ならず口金取付部７５５２の内側に露出した露出領域が形成されている。そして、導電板７５４５が、上記露出領域を通る形で回路基板２０４１と口金８０のシェル８１の内周面との間に配置され、導電板７５４５の延伸端側の折曲片７５４５ｂが口金８０のシェル８１の内周面を口金８０の径方向に弾性押圧する。これにより、導電板７５４５と口金８０のシェル８１とが電気的に接続される。
【０２８２】
（１０）実施の形態４では、図２５に示すように、出力端子５３の軸部５３ｂを第１半ケース３２５０ａの切欠部５０ａ３に載置するとともに、アイレット用金属端子３２８２のピン３２４４を第１半ケース３２５０ａの切欠部３２５０ａ６に載置してから、第１半ケース３２５０ａに回路基板３２４１を取着する製造方法の例について説明したが、これに限定されるものではない。例えば、出力端子５３およびアイレット用金属端子３２８２を予め回路基板３２４１に取着してから、回路基板３２４１を第１半ケース３２５０ａに取着するようにしてもよい。
【０２８３】
（１１）実施の形態５では、ケース３５０が樹脂である例について説明したが、これに限定されるものではない。例えば、ケース３５０が、外側の金属からなる層と内側の樹脂からなる層とで構成されるいわゆる２層構造としてもよい。
【０２８４】
（１２）実施の形態６では、アイレット用導電板５０８２の脚片５０８２ａそれぞれの一部が第２蓋部５０５０ｃに埋設されている例について説明したが、これに限定されるものではない。例えば、図５１（ａ）に示すように、アイレットを構成する螺子５３８２と、導電部材を構成する螺子受部５３４４とを有し、螺子５３８２が螺子受部５３４４に螺合した状態で第２蓋部５３５０ｃに固定されるものであってもよい。
【０２８５】
図５１（ａ）に示すように、第２蓋部５３５０ｃの略中央部には、螺子５３８２の一部が挿通される貫通孔５３５０ｃ１が貫設されている。また、第２蓋部５３５０ｃの周部における中心を挟んで対向する部位には、係合爪５３５０ｃ２が設けられている。
【０２８６】
螺子５３８２は、略円板状に形成された頭部５３８２ａと、頭部５３８２の厚み方向における片面側から突出する円柱状の軸部５３８２ｂとから構成される。ここで、頭部５３８２ａの軸部５３８２ｂが突出する側とは反対側の面には、工具で螺子５３８２を軸部５３８２ｂの中心軸周りに回転させるための十字孔５３８２ｃが形成されている。
【０２８７】
螺子受部５３４４は、細長の矩形板状に形成され且つ互いに対向する面が略平行となるように配置された脚片５３４４ａと、細長の矩形板状に形成され且つ略中央部に螺子孔５３４４ｄが設けられるとともに脚片５３４４ａの長手方向における一端部同士を連結する連結片５３４４ｂと、各脚片５３４４ａの連結片５３４４ｂに連続する側とは反対側の他端部それぞれに連続し且つ各脚片５３４４ａの一端部側に折曲されるとともに互いに近づく方向に凸となるような弧状に形成されてなる折曲片５３４４ｃとから構成される。そして、図５１（ｂ）に示すように、螺子受部５３４４は、螺子５３８２の軸部５３８２ｂの先端部の螺子部が螺子孔５３４４ｄに螺合した状態で螺子５３８２の軸部５３８２ｂに取着される。
（１３）実施の形態３では、導電板２０４５が、回路基板２０４１の厚み方向における両面側から口金８０のシェル８１の内面におけるシェル８１の中心軸を挟んで対向する２箇所に向かって延伸しているランプ２の例について説明したが、導電板２０４５の形状はこれに限定されるものではない。
【０２８８】
例えば、導電部材が、回路基板２０４１からシェル８１の内面におけるシェル８１の中心軸周りに等間隔に並ぶ３以上の複数箇所に向かって延伸し、シェル８１の内面における上記複数箇所に接触しているものであってもよい。
【０２８９】
本構成によれば、回路基板２０４１に直交する方向への回路基板２０１４の揺動を抑制するのみならず、回路基板２０４１に直交する方向とは交差する方向への回路基板２０１４の揺動をも抑制することができる。
【０２９０】
また、実施の形態３では、導電板２０４５が回路基板２０４１における電極パッド２０４１ｅが形成されている部位に固定されている例について説明したが、これに限定されるものではなく、例えば、導電板２０４５がシェル８１に固定されているものであってもよい。
【０２９１】
（１４）以上、本発明に係るランプについて、上記各実施の形態および各変形例に基づいて図面を参照しながら説明した。なお、上記各実施の形態に係るランプの部分的な構成、および上記各変形例に係る構成を、適宜組み合わせて成るランプであっても良い。
【符号の説明】
【０２９２】
１，２，３，４，５，１００，  ランプ
１０  発光モジュール
１１  モジュール基板
１１ａ，３４１ｅ，２０４１ｅ，５０４１ｅ  電極パッド
１２  発光部
２０  基台
２１  凹部
２２ａ，２２ｂ  基台スリット（アダプタ被取着部）
３０，１３０  アダプタ
３１  ベース部
３１ａ，３１ｂ  ベース部スリット（回路被取着部）
３２  天板部
３３  支柱
３４  保持部材
３４ａ  鉤本体部（発光ユニット取着部）
３５  導電板
３６  リブ
４０  電源ユニット
４１，２０４１，５０４１  回路基板（基材）
４４，４５  電源線
５０  ケース
５０ａ  第１半ケース
５０ｂ  第２半ケース
５１  主部
５２，７５５２  口金取付部
５２ｃ  スリット（切欠部）
５３  出力端子（アダプタ取着部）
６０  筐体
７０  グローブ
８０，８０  口金
８２，８２  アイレット
８１，３８１，８１，５０８１  シェル
９０  絶縁部材
９６  回路モジュール
３４４  端子受部（導電部材）
３４５，２０４５  導電板（導電部材）
３８１，８１  シェル
３８２，７４８２  アイレット用金属端子（アイレット）
３４１ｄ，２０４１ｄ  基板スリット（スリット）
３４５ｃ，２０４５ｃ  取付部
５０８２  アイレット用導電板
５３４４  螺子受部（導電部材）
５３８２  螺子（アイレット）
【図１】
2013051191.tif 000003
【図２】
2013051191.tif 000004
【図３】
2013051191.tif 000005
【図４】
2013051191.tif 000006
【図５】
2013051191.tif 000007
【図６】
2013051191.tif 000008
【図７】
2013051191.tif 000009
【図８】
2013051191.tif 000010
【図９】
2013051191.tif 000011
【図１０】
2013051191.tif 000012
【図１１】
2013051191.tif 000013
【図１２】
2013051191.tif 000014
【図１３】
2013051191.tif 000015
【図１４】
2013051191.tif 000016
【図１５】
2013051191.tif 000017
【図１６】
2013051191.tif 000018
【図１７】
2013051191.tif 000019
【図１８】
2013051191.tif 000020
【図１９】
2013051191.tif 000021
【図２０】
2013051191.tif 000022
【図２１】
2013051191.tif 000023
【図２２】
2013051191.tif 000024
【図２３】
2013051191.tif 000025
【図２４】
2013051191.tif 000026
【図２５】
2013051191.tif 000027
【図２６】
2013051191.tif 000028
【図２７】
2013051191.tif 000029
【図２８】
2013051191.tif 000030
【図２９】
2013051191.tif 000031
【図３０】
2013051191.tif 000032
【図３１】
2013051191.tif 000033
【図３２】
2013051191.tif 000034
【図３３】
2013051191.tif 000035
【図３４】
2013051191.tif 000036
【図３５】
2013051191.tif 000037
【図３６】
2013051191.tif 000038
【図３７】
2013051191.tif 000039
【図３８】
2013051191.tif 000040
【図３９】
2013051191.tif 000041
【図４０】
2013051191.tif 000042
【図４１】
2013051191.tif 000043
【図４２】
2013051191.tif 000044
【図４３】
2013051191.tif 000045
【図４４】
2013051191.tif 000046
【図４５】
2013051191.tif 000047
【図４６】
2013051191.tif 000048
【図４７】
2013051191.tif 000049
【図４８】
2013051191.tif 000050
【図４９】
2013051191.tif 000051
【図５０】
2013051191.tif 000052
【図５１】
2013051191.tif 000053
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
発光ユニットと、前記発光ユニットに電力を供給する回路モジュールと、前記発光ユニットおよび前記回路モジュールの間に介在し且つ前記発光ユニットおよび前記回路モジュールが機械的に接続されるアダプタとを備えるランプであって、
前記発光ユニットは、
半導体発光素子が実装されてなるモジュール基板と、
前記モジュール基板上に設けられ且つ前記半導体発光素子に供給する電力を受電する発光ユニット側受電端子と、
板状に形成され且つ一面側に前記モジュール基板が配置された基台とを有し、
前記回路モジュールは、
前記発光ユニットに電力を供給する電源ユニットと、
前記電源ユニットを収納するケースと、
前記電源ユニットと電気的に接続された回路モジュール側出力端子とを有し、
前記アダプタは、
アダプタ本体部と、
前記アダプタ本体部に設けられ且つ前記回路モジュールから供給される電力を受電するアダプタ側受電端子と、
前記アダプタ本体部に設けられ且つ前記アダプタ側受電端子と電気的に接続されたアダプタ側出力端子とを有し、
前記アダプタ側出力端子は、前記アダプタ本体部に前記基台が取着された状態で前記発光ユニット側受電端子に対向して配置され
前記発光ユニットは、前記アダプタ側出力端子により前記発光ユニット側受電端子が前記アダプタ本体部側に向かって押圧された状態で、前記アダプタに機械的に接続され、
前記回路モジュールは、その一部が前記アダプタに機械的に接続され、
前記発光ユニットと前記回路モジュールとが前記アダプタに機械的に接続された状態において、前記回路モジュール側出力端子と前記アダプタ側受電端子とが接触し、前記発光ユニットと前記回路モジュールとが電気的に接続される
ことを特徴とするランプ。
【請求項２】
前記ケースは、前記アダプタが取着される部位に設けられたアダプタ取着部を有し、
前記アダプタ本体部は、前記回路モジュールが取着される部位に設けられた回路被取着部を有し、
前記アダプタ取着部と前記回路被取着部とが係合することにより、前記回路モジュールの一部が前記アダプタに機械的に接続される
ことを特徴とする請求項１記載のランプ。
【請求項３】
前記回路モジュールは、更に、口金を有し、
前記ケースは、一端が開口した有底円筒状の主部と、当該主部の前記開口から前記主部の筒軸方向に延出し前記口金が外嵌される口金取付部とを有し、
前記回路モジュール側出力端子は、前記主部の底壁に固定されている
ことを特徴とする請求項１または請求項２記載のランプ。
【請求項４】
前記アダプタ本体部は、有底筒状に形成され且つ内側に前記回路モジュールの一部が嵌合するベース部と、前記ベース部から離間して配置された天板部と、前記ベース部と前記天板部とを接続する支柱とを有し、
前記アダプタ取着部は、板状の頭部と当該頭部の厚み方向における片面側から突出し先端部が前記ケースに固定されている軸部とを有するピンからなり、前記回路モジュール側出力端子としても機能するものであり、
前記回路被取着部は、前記ベース部に設けられたベース部スリットからなり、
前記アダプタ側受電端子は、前記アダプタ本体部に固定され且つ長手方向における一端部が前記ベース部の前記ベース部スリットに近接して配置されるとともに、長手方向における他端部が前記天板部における前記ベース部側とは反対側に配置された少なくとも１つの細長の導電板の前記一端部からなり、
前記アダプタ側出力端子は、前記導電板の前記他端部からなる
ことを特徴とする請求項２記載のランプ。
【請求項５】
前記回路モジュールは、
口金と、
導電性材料からなり且つ弾性変形可能であるとともに、前記口金から前記発光ユニットへの電力供給路における第１部位を構成する導電部材と、
前記発光ユニットへの電力供給路における前記第１部位とは異なる第２部位を構成する配線パターンが形成された基材とを更に備え、
前記ケースは、前記口金が取り付けられる口金取付部を有し前記基材を内部に収納し、
前記導電部材は、前記口金および前記基材における前記配線パターンが形成された部位いずれか一方に固定され且つ電気的に接続され、
前記口金が前記口金取付部に取り付けられた状態で、前記導電部材は、弾性変形により生じた復元力により前記口金および前記基材における前記配線パターンが形成された部位のうちの他方を押圧し且つ電気的に接続されている
ことを特徴とする請求項１記載のランプ。
【請求項６】
発光ユニットと、
口金と、
導電性材料からなり且つ弾性変形可能であるとともに、前記口金から前記発光ユニットへの電力供給路における第１部位を構成する導電部材と、
前記発光ユニットへの電力供給路における前記第１部位とは異なる第２部位を構成する配線パターンが形成された基材と、
前記口金が取り付けられる口金取付部を有し前記基材を内部に収納するケースとを備え、
前記導電部材は、前記口金および前記基材における前記配線パターンが形成された部位いずれか一方に固定され且つ電気的に接続され、
前記口金が前記口金取付部に取り付けられた状態で、前記導電部材は、弾性変形により生じた復元力により前記口金および前記基材における前記配線パターンが形成された部位のうちの他方を押圧し且つ電気的に接続されている
ことを特徴とするランプ。
【請求項７】
前記口金のシェルは、前記口金取付部に取り付けられた状態で、その内周面に前記口金取付部の周壁と重ならず前記口金取付部の内側に露出した露出領域を有し、
前記導電部材が、前記基材における前記配線パターンが形成された部位に固定され且つ電気的に接続され、前記基材から延伸され且つ延伸端側が前記シェルの内周面における前記露出領域を前記シェルの径方向に押圧している
ことを特徴とする請求項６記載のランプ。
【請求項８】
前記露出領域は、前記口金取付部の周壁の開口端部に形成された切欠部に対向する領域である
ことを特徴とする請求項７記載のランプ。
【請求項９】
前記露出領域は、前記口金取付部の周壁の一部に形成された周壁の厚み方向に貫通する貫通孔に対向する領域である
ことを特徴とする請求項７記載のランプ。
【請求項１０】
前記ケースは、筒状であり、
前記基材は、前記配線パターンが形成された回路基板からなり、
前記回路基板は、前記ケースの筒軸方向に沿って配置され、
前記導電部材は、細長の板状に形成され且つ前記回路基板の法線方向に延伸している
ことを特徴とする請求項６記載のランプ。
【請求項１１】
前記導電部材は、前記基材に固定され、前記基材から前記口金のシェルの内周面における前記シェルの中心軸周りに等間隔に並ぶ複数箇所に向かって延伸し、前記シェルの内周面における前記複数箇所に接触している
ことを特徴とする請求項６記載のランプ。
【請求項１２】
前記基材は、前記配線パターンが形成された回路基板からなり、
前記導電部材は、前記回路基板における、前記シェルの中心軸を含み且つ前記回路基板に直交する仮想平面との交線上に固定され、前記回路基板の一面側および他面側それぞれから前記シェルの内周面における、前記仮想平面との交線上であって前記シェルの中心軸を挟んで対向する２箇所に向かって延伸し且つ前記シェルの内周面における前記２箇所に接触している
ことを特徴とする請求項１１記載のランプ。
【請求項１３】
前記基材は、前記配線パターンが形成された回路基板からなり、
前記導電部材は、前記シェルの内周面における、前記シェルの中心軸を含み且つ前記回路基板に平行な仮想平面との交線上であって前記シェルの中心軸を挟んで対向する２箇所に向かって延伸し且つ前記シェルの内周面における前記２箇所に接触している
ことを特徴とする請求項１１記載のランプ。
【請求項１４】
前記ケースは、筒状であり、
前記ケースは、筒軸を含む仮想平面に平行な仮想平面で２つに分割してなる第１半ケースと第２半ケースとから構成される
ことを特徴とする請求項６記載のランプ。
【請求項１５】
前記ケースは、筒状であり、
前記基材は、前記配線パターンが形成された回路基板からなり、
前記ケースの内周面には、前記ケースの筒軸方向に沿って前記回路基板を前記ケース内における固定位置に案内するためのレールが形成されている
ことを特徴とする請求項６記載のランプ。
【請求項１６】
前記ケースは、筒状であり、
前記導電部材は、前記口金のアイレットおよび前記基材における前記配線パターンが形成された部位のいずれか一方に固定され且つ電気的に接続され、
組み立て時において、前記アイレットおよび前記基材が前記ケースの筒軸方向に沿って互いに近づく方向に移動されると、前記導電部材が前記アイレットおよび前記基材における前記配線パターンが形成された部位のうちの他方を押圧し且つ電気的に接続される
ことを特徴とする請求項６記載のランプ。
【請求項１７】
前記基材は、前記配線パターンが形成された回路基板からなり、
前記アイレットは、板状に形成された頭部と、頭部の厚み方向における片面側から突出し且つ螺子部を有する柱状の軸部とから構成される螺子からなり、
前記導電部材は、
細長の板状に形成され且つ互いに対向する面が略平行となるように配置された２つの脚片と、
細長の板状に形成され且つ略中央部に前記螺子の前記軸部に螺合可能な螺子孔が設けられるとともに前記各脚片の長手方向における一端部同士を連結する連結片と、
前記各脚片の連結片に連続する側とは反対側の他端部それぞれに連続し且つ前記各脚片の一端部側に折曲されるとともに互いに近づく方向に凸となるような弧状に形成されてなる折曲片とを有し、
前記導電部材は、前記アイレットの前記軸部に前記螺子孔が螺合することにより前記アイレットに固定され且つ電気的に接続され、前記回路基板における前記配線パターンが形成された部位を前記回路基板の厚み方向における両側から前記各脚片に連続する前記折曲片の両方で挟持することにより前記回路基板における前記配線パターンが形成された部位の押圧し且つ電気的に接続する
ことを特徴とする請求項１６記載のランプ。
【請求項１８】
前記基材は、前記配線パターンが形成された回路基板からなり、
前記アイレットは、棒状のピンを有する金属端子であり、
前記導電部材は、
細長の板状に形成され且つ互いに対向する面が略平行となるように配置された２つの脚片と、
細長の板状に形成され且つ前記各脚片の長手方向における一端部同士を連結する連結片と、
前記各脚片における短手方向における一方向側の端部それぞれに連続し且つ前記一方向側とは反対方向側に折曲されるとともに互いに近づく方向に凸となるような弧状に屈曲されてなる折曲片とを有し、
前記導電部材は、前記回路基板における前記配線パターンが形成された部位に固定され且つ電気的に接続され、前記ピンを前記折曲片で挟持することにより前記アイレットを押圧し且つ電気的に接続される
ことを特徴とする請求項１６記載のランプ。
【請求項１９】
発光ユニットにアダプタを介して接続され、前記発光ユニットに電力を供給する回路モジュールであって、
前記発光ユニットに電力を供給する電源ユニットと、
前記電源ユニットを収納するケースと、
前記電源ユニットと電気的に接続された回路モジュール側出力端子とを備える
ことを特徴とする回路モジュール。
【請求項２０】
前記ケースは、前記アダプタが取着される部位に設けられたアダプタ取着部を有する
ことを特徴とする請求項１９に記載の回路モジュール。
【請求項２１】
更に、口金を有し、
前記ケースは、一端が開口した有底円筒状の主部と、当該主部の前記開口から前記主部の筒軸方向に延出し前記口金が外嵌される口金取付部とを有し、
前記アダプタ取着部は、板状の頭部と当該頭部の厚み方向における片面側から突出し先端部が前記ケースに固定されている軸部とを有するピンからなり、前記回路モジュール側出力端子としても機能するものである
ことを特徴とする請求項２０記載の回路モジュール。
【請求項２２】
半導体発光素子が実装されてなるモジュール基板、前記モジュール基板上に設けられ且つ前記半導体発光素子に供給する電力を受電する発光ユニット側受電端子、および、板状に形成され且つ一面側に前記モジュール基板が配置された基台を有する発光ユニットと、請求項１９記載の回路モジュールとの間に介在し前記発光ユニットおよび前記回路モジュールが電気的および機械的に接続されるアダプタであって、
アダプタ本体部と、
前記アダプタ本体部に設けられ且つ前記回路モジュール側出力端子から出力される電力を受電するアダプタ側受電端子と、
前記アダプタ本体部に設けられ且つ前記アダプタ側受電端子と電気的に接続されたアダプタ側出力端子とを備え、
前記アダプタ側受電端子は、前記アダプタ本体部に前記基台が取着された状態で、前記発光ユニット側受電端子に対向して配置され、
前記発光ユニットは、前記アダプタ側出力端子の一部により前記発光ユニット側受電端子が前記アダプタ本体部側に向かって押圧された状態で、前記アダプタに機械的に接続される
ことを特徴とするアダプタ。
【請求項２３】
前記アダプタ本体部は、前記回路モジュールが取着される部位に設けられた回路被取着部を有する
ことを特徴とする請求項２２に記載のアダプタ。
【請求項２４】
前記アダプタ本体部は、有底筒状に形成され且つ内側に前記回路モジュールの一部が嵌合するベース部と、前記ベース部から離間して配置された天板部と、前記ベース部と前記天板部とを接続する支柱とを有し、
前記回路被取着部は、前記ベース部に設けられたベース部スリットからなり、
前記アダプタ側受電端子は、前記アダプタ本体部に固定され且つ長手方向における一端部が前記ベース部の前記ベース部スリットに近接して配置されるとともに、長手方向における他端部が前記天板部における前記ベース部側とは反対側に配置された少なくとも１つの細長の導電板の前記一端部からなり、
前記アダプタ側出力端子は、前記導電板の前記他端部からなる
ことを特徴とする請求項２３記載のアダプタ。
【請求項２５】
前記アダプタ本体部は、前記発光ユニットが取着される部位に設けられた発光ユニット取着部を有する
ことを特徴とする請求項２２記載のアダプタ。
【請求項２６】
請求項１９記載の回路モジュールと、
請求項２２記載のアダプタとを備える
ことを特徴とする回路アダプタユニット。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
発光ユニットと、前記発光ユニットに電力を供給する回路モジュールと、前記発光ユニットおよび前記回路モジュールの間に介在し且つ前記発光ユニットおよび前記回路モジュールが機械的に接続されるアダプタとを備えるランプであって、
前記発光ユニットは、
半導体発光素子が実装されてなるモジュール基板と、
前記モジュール基板上に設けられ且つ前記半導体発光素子に供給する電力を受電する発光ユニット側受電端子と、
板状に形成され且つ一面側に前記モジュール基板が配置された基台とを有し、
前記回路モジュールは、
前記発光ユニットに電力を供給する電源ユニットと、
前記電源ユニットを収納するケースと、
前記電源ユニットと電気的に接続された回路モジュール側出力端子とを有し、
前記アダプタは、
アダプタ本体部と、
前記アダプタ本体部に設けられ且つ前記回路モジュールから供給される電力を受電するアダプタ側受電端子と、
前記アダプタ本体部に設けられ且つ前記アダプタ側受電端子と電気的に接続されたアダプタ側出力端子とを有し、
前記アダプタ側出力端子は、前記アダプタ本体部に前記基台が取着された状態で前記発光ユニット側受電端子に対向して配置され
前記発光ユニットは、前記アダプタ側出力端子により前記発光ユニット側受電端子が前記アダプタ本体部側に向かって押圧された状態で、前記アダプタに機械的に接続され、
前記回路モジュールは、その一部が前記アダプタに機械的に接続され、
前記発光ユニットと前記回路モジュールとが前記アダプタに機械的に接続された状態において、前記回路モジュール側出力端子と前記アダプタ側受電端子とが接触し、前記発光ユニットと前記回路モジュールとが電気的に接続される
ことを特徴とするランプ。
【請求項２】
前記ケースは、前記アダプタが取着される部位に設けられたアダプタ取着部を有し、
前記アダプタ本体部は、前記回路モジュールが取着される部位に設けられた回路被取着部を有し、
前記アダプタ取着部と前記回路被取着部とが係合することにより、前記回路モジュールの一部が前記アダプタに機械的に接続される
ことを特徴とする請求項１記載のランプ。
【請求項３】
前記回路モジュールは、更に、口金を有し、
前記ケースは、一端が開口した有底円筒状の主部と、当該主部の前記開口から前記主部の筒軸方向に延出し前記口金が外嵌される口金取付部とを有し、
前記回路モジュール側出力端子は、前記主部の底壁に固定されている
ことを特徴とする請求項１または請求項２記載のランプ。
【請求項４】
前記アダプタ本体部は、有底筒状に形成されたベース部と、前記ベース部から離間して配置された天板部と、前記ベース部と前記天板部とを接続する支柱とを有し、
前記アダプタ取着部は、板状の頭部と当該頭部の厚み方向における片面側から突出し先端部が前記ケースに固定されている軸部とを有するピンからなり、前記回路モジュール側出力端子としても機能するものであり、
前記回路被取着部は、前記ベース部に設けられたベース部スリットからなり、
前記アダプタ側受電端子は、前記アダプタ本体部に固定され且つ長手方向における一端部が前記ベース部の前記ベース部スリットに近接して配置されるとともに、長手方向における他端部が前記天板部における前記ベース部側とは反対側に配置された少なくとも１つの細長の導電板の前記一端部からなり、
前記アダプタ側出力端子は、前記導電板の前記他端部からなる
ことを特徴とする請求項２記載のランプ。
【請求項５】
前記回路モジュールは、
口金と、
導電性材料からなり且つ弾性変形可能であるとともに、前記口金から前記発光ユニットへの電力供給路における第１部位を構成する導電部材と、
前記発光ユニットへの電力供給路における前記第１部位とは異なる第２部位を構成する配線パターンが形成された基材とを更に備え、
前記ケースは、前記口金が取り付けられる口金取付部を有し前記基材を内部に収納し、
前記導電部材は、前記口金および前記基材における前記配線パターンが形成された部位いずれか一方に固定され且つ電気的に接続され、
前記口金が前記口金取付部に取り付けられた状態で、前記導電部材は、弾性変形により生じた復元力により前記口金および前記基材における前記配線パターンが形成された部位のうちの他方を押圧し且つ電気的に接続されている
ことを特徴とする請求項１記載のランプ。
【請求項６】
発光ユニットと、
口金と、
導電性材料からなり且つ弾性変形可能であるとともに、前記口金から前記発光ユニットへの電力供給路における第１部位を構成する導電部材と、
前記発光ユニットへの電力供給路における前記第１部位とは異なる第２部位を構成する配線パターンが形成された基材と、
前記口金が取り付けられる口金取付部を有し前記基材を内部に収納するケースとを備え、
前記導電部材は、前記口金および前記基材における前記配線パターンが形成された部位いずれか一方に固定され且つ電気的に接続され、
前記口金が前記口金取付部に取り付けられた状態で、前記導電部材は、弾性変形により生じた復元力により前記口金および前記基材における前記配線パターンが形成された部位のうちの他方を押圧し且つ電気的に接続されている
ことを特徴とするランプ。
【請求項７】
前記口金のシェルは、前記口金取付部に取り付けられた状態で、その内周面に前記口金取付部の周壁と重ならず前記口金取付部の内側に露出した露出領域を有し、
前記導電部材が、前記基材における前記配線パターンが形成された部位に固定され且つ電気的に接続され、前記基材から延伸され且つ延伸端側が前記シェルの内周面における前記露出領域を前記シェルの径方向に押圧している
ことを特徴とする請求項６記載のランプ。
【請求項８】
前記露出領域は、前記口金取付部の周壁の開口端部に形成された切欠部に対向する領域である
ことを特徴とする請求項７記載のランプ。
【請求項９】
前記露出領域は、前記口金取付部の周壁の一部に形成された周壁の厚み方向に貫通する貫通孔に対向する領域である
ことを特徴とする請求項７記載のランプ。
【請求項１０】
前記ケースは、筒状であり、
前記基材は、前記配線パターンが形成された回路基板からなり、
前記回路基板は、前記ケースの筒軸方向に沿って配置され、
前記導電部材は、細長の板状に形成され且つ前記回路基板の法線方向に延伸している
ことを特徴とする請求項６記載のランプ。
【請求項１１】
前記導電部材は、前記基材に固定され、前記基材から前記口金のシェルの内周面における前記シェルの中心軸周りに等間隔に並ぶ複数箇所に向かって延伸し、前記シェルの内周面における前記複数箇所に接触している
ことを特徴とする請求項６記載のランプ。
【請求項１２】
前記基材は、前記配線パターンが形成された回路基板からなり、
前記導電部材は、前記回路基板における、前記シェルの中心軸を含み且つ前記回路基板に直交する仮想平面との交線上に固定され、前記回路基板の一面側および他面側それぞれから前記シェルの内周面における、前記仮想平面との交線上であって前記シェルの中心軸を挟んで対向する２箇所に向かって延伸し且つ前記シェルの内周面における前記２箇所に接触している
ことを特徴とする請求項１１記載のランプ。
【請求項１３】
前記基材は、前記配線パターンが形成された回路基板からなり、
前記導電部材は、前記シェルの内周面における、前記シェルの中心軸を含み且つ前記回路基板に平行な仮想平面との交線上であって前記シェルの中心軸を挟んで対向する２箇所に向かって延伸し且つ前記シェルの内周面における前記２箇所に接触している
ことを特徴とする請求項１１記載のランプ。
【請求項１４】
前記ケースは、筒状であり、
前記ケースは、筒軸を含む仮想平面に平行な仮想平面で２つに分割してなる第１半ケースと第２半ケースとから構成される
ことを特徴とする請求項６記載のランプ。
【請求項１５】
前記ケースは、筒状であり、
前記基材は、前記配線パターンが形成された回路基板からなり、
前記ケースの内周面には、前記ケースの筒軸方向に沿って前記回路基板を前記ケース内における固定位置に案内するためのレールが形成されている
ことを特徴とする請求項６記載のランプ。
【請求項１６】
前記ケースは、筒状であり、
前記導電部材は、前記口金のアイレットおよび前記基材における前記配線パターンが形成された部位のいずれか一方に固定され且つ電気的に接続され、
組み立て時において、前記アイレットおよび前記基材が前記ケースの筒軸方向に沿って互いに近づく方向に移動されると、前記導電部材が前記アイレットおよび前記基材における前記配線パターンが形成された部位のうちの他方を押圧し且つ電気的に接続される
ことを特徴とする請求項６記載のランプ。
【請求項１７】
前記基材は、前記配線パターンが形成された回路基板からなり、
前記アイレットは、板状に形成された頭部と、頭部の厚み方向における片面側から突出し且つ螺子部を有する柱状の軸部とから構成される螺子からなり、
前記導電部材は、
細長の板状に形成され且つ互いに対向する面が略平行となるように配置された２つの脚片と、
細長の板状に形成され且つ略中央部に前記螺子の前記軸部に螺合可能な螺子孔が設けられるとともに前記各脚片の長手方向における一端部同士を連結する連結片と、
前記各脚片の連結片に連続する側とは反対側の他端部それぞれに連続し且つ前記各脚片の一端部側に折曲されるとともに互いに近づく方向に凸となるような弧状に形成されてなる折曲片とを有し、
前記導電部材は、前記アイレットの前記軸部に前記螺子孔が螺合することにより前記アイレットに固定され且つ電気的に接続され、前記回路基板における前記配線パターンが形成された部位を前記回路基板の厚み方向における両側から前記各脚片に連続する前記折曲片の両方で挟持することにより前記回路基板における前記配線パターンが形成された部位の押圧し且つ電気的に接続する
ことを特徴とする請求項１６記載のランプ。
【請求項１８】
前記基材は、前記配線パターンが形成された回路基板からなり、
前記アイレットは、棒状のピンを有する金属端子であり、
前記導電部材は、
細長の板状に形成され且つ互いに対向する面が略平行となるように配置された２つの脚片と、
細長の板状に形成され且つ前記各脚片の長手方向における一端部同士を連結する連結片と、
前記各脚片における短手方向における一方向側の端部それぞれに連続し且つ前記一方向側とは反対方向側に折曲されるとともに互いに近づく方向に凸となるような弧状に屈曲されてなる折曲片とを有し、
前記導電部材は、前記回路基板における前記配線パターンが形成された部位に固定され且つ電気的に接続され、前記ピンを前記折曲片で挟持することにより前記アイレットを押圧し且つ電気的に接続される
ことを特徴とする請求項１６記載のランプ。
【請求項１９】
半導体発光素子が実装されてなるモジュール基板、前記モジュール基板上に設けられ且つ前記半導体発光素子に供給する電力を受電する発光ユニット側受電端子、および、板状に形成され且つ一面側に前記モジュール基板が配置された基台を有する発光ユニットと、前記発光ユニットに電力を供給する電源ユニット、前記電源ユニットを収納するケース、および、前記電源ユニットに電気的に接続された回路モジュール側出力端子を備える回路モジュールとの間に介在し前記発光ユニットおよび前記回路モジュールが電気的および機械的に接続されるアダプタであって、
アダプタ本体部と、
前記アダプタ本体部に設けられ且つ前記回路モジュール側出力端子から出力される電力を受電するアダプタ側受電端子と、
前記アダプタ本体部に設けられ且つ前記アダプタ側受電端子と電気的に接続されたアダプタ側出力端子とを備え、
前記アダプタ側受電端子は、前記アダプタ本体部に前記基台が取着された状態で、前記発光ユニット側受電端子に対向して配置され、
前記発光ユニットは、前記アダプタ側出力端子の一部により前記発光ユニット側受電端子が前記アダプタ本体部側に向かって押圧された状態で、前記アダプタに機械的に接続される
ことを特徴とするアダプタ。
【請求項２０】
前記アダプタ本体部は、前記回路モジュールが取着される部位に設けられた回路被取着部を有する
ことを特徴とする請求項１９に記載のアダプタ。
【請求項２１】
前記アダプタ本体部は、有底筒状に形成されたベース部と、前記ベース部から離間して配置された天板部と、前記ベース部と前記天板部とを接続する支柱とを有し、
前記回路被取着部は、前記ベース部に設けられたベース部スリットからなり、
前記アダプタ側受電端子は、前記アダプタ本体部に固定され且つ長手方向における一端部が前記ベース部の前記ベース部スリットに近接して配置されるとともに、長手方向における他端部が前記天板部における前記ベース部側とは反対側に配置された少なくとも１つの細長の導電板の前記一端部からなり、
前記アダプタ側出力端子は、前記導電板の前記他端部からなる
ことを特徴とする請求項２０記載のアダプタ。
【請求項２２】
前記アダプタ本体部は、前記発光ユニットが取着される部位に設けられた発光ユニット取着部を有する
ことを特徴とする請求項１９記載のアダプタ。
【請求項２３】
発光ユニットにアダプタを介して接続されて使用され、前記発光ユニットに電力を供給する電源ユニットと前記電源ユニットを収納するケースと前記電源ユニットに電気的に接続された回路モジュール側出力端子とを備える回路モジュールと、
請求項１９記載のアダプタとを備える
ことを特徴とする回路アダプタユニット。
【国際調査報告】
2013051191.tif 000054
2013051191.tif 000055
2013051191.tif 000056
2013051191.tif 000057
2013051191.tif 000058